(57)【要約】回折光学要素を使用した眼結像装置の実施例が、提供される。例えば、光学デバイスは、近位表面および遠位表面を有する、基板と、基板の近位表面および遠位表面のうちの１つ上に配置される、第１の結合光学要素と、基板の近位表面および遠位表面のうちの１つ上に配置され、第１の結合光学要素からオフセットされる、第２の結合光学要素とを備える。第１の結合光学要素は、光をある角度で偏向させ、光を近位表面と遠位表面との間で第２の結合光学要素に向かって全内部反射（ＴＩＲ）させるように構成されることができ、第２の結合光学要素は、光を基板から外にある角度で偏向させるように構成されることができる。眼結像装置は、拡張または仮想現実ディスプレイ等の頭部搭載型ディスプレイ内で使用されることができる。
2020514824.tif 000002
【特許請求の範囲】
【請求項１】
光学デバイスであって、
近位表面および遠位表面を有する基板と、
前記近位表面および前記遠位表面のうちの１つ上に配置される第１の結合光学要素と、
前記近位表面および前記遠位表面のうちの１つ上に配置され、前記第１の結合光学要素から前記近位表面または前記遠位表面と平行方向に沿って側方にオフセットされる第２の結合光学要素と
を備え、前記第１の結合光学要素は、光をある角度で偏向させ、前記光を前記近位表面と遠位表面との間で前記第２の結合光学要素に向かって全内部反射（ＴＩＲ）させるように構成され、前記第２の結合光学要素は、光を前記基板から外にある角度で偏向させるように構成される、光学デバイス。
【請求項２】
前記基板は、可視光に対して透過性である、請求項１に記載の光学デバイス。
【請求項３】
前記基板は、ポリマーを含む、請求項１に記載の光学デバイス。
【請求項４】
前記基板は、ポリカーボネートを含む、請求項１に記載の光学デバイス。
【請求項５】
前記第１および第２の結合光学要素は、前記基板の前記近位表面および遠位表面のうちの少なくとも１つの外部にあり、それに固定される、請求項１に記載の光学デバイス。
【請求項６】
前記第１および第２の結合光学要素は、前記基板の一部を含む、請求項１に記載の光学デバイス。
【請求項７】
前記第１および第２の結合光学要素のうちの少なくとも１つは、複数の回折特徴を備える、請求項１に記載の光学デバイス。
【請求項８】
前記複数の回折特徴は、ある波長の範囲の光の実質的に全てを回折するように、前記ある波長の範囲のための比較的に高回折効率を有する、請求項７に記載の光学デバイス。
【請求項９】
前記複数の回折特徴は、複数の回折要素の周期に部分的に基づいて、光を少なくとも１つの方向に回折し、前記少なくとも１つの方向は、前記光を前記近位表面と遠位表面との間でＴＩＲするように選択される、請求項７に記載の光学デバイス。
【請求項１０】
前記第１または第２の結合光学要素のうちの少なくとも１つは、軸外回折光学要素（ＤＯＥ）、軸外回折格子、軸外回折光学要素（ＤＯＥ）、軸外ホログラフィックミラー（ＯＡＨＭ）、または軸外立体回折光学要素（ＯＡＶＤＯＥ）、または軸外コレステリック液晶回折格子（ＯＡＣＬＣＧ）のうちの少なくとも１つを含む、請求項１に記載の光学デバイス。
【請求項１１】
前記第１および第２の結合光学要素はそれぞれ、第１の波長の範囲の光を偏向させる一方、第２の波長の範囲の光を透過させるように構成される、請求項１に記載の光学デバイス。
【請求項１２】
前記第１の波長の範囲は、赤外線（ＩＲ）または近ＩＲスペクトルのうちの少なくとも１つにおける光を含み、前記第２の波長の範囲は、可視スペクトルにおける光を含む、請求項１１に記載の光学デバイス。
【請求項１３】
前記第１および第２の結合光学要素は、ある波長の範囲の光を選択的に反射させ、前記第１の結合光学要素は、前記基板の遠位表面上に配置され、前記第２の結合光学要素は、前記基板の近位表面上に配置される、請求項１に記載の光学デバイス。
【請求項１４】
前記第１および第２の結合光学要素は、ある波長の範囲の光を選択的に透過させ、前記第１の結合光学要素は、前記基板の近位表面上に配置され、前記第２の結合光学要素は、前記基板の遠位表面上に配置される、請求項１に記載の光学デバイス。
【請求項１５】
前記第１の結合光学要素は、ある波長の範囲の光を選択的に反射させ、前記第２の結合光学要素は、前記ある波長の範囲の光を選択的に透過させ、前記第１および第２の結合光学要素は、前記基板の遠位表面上に配置される、請求項１に記載の光学デバイス。
【請求項１６】
前記第１の結合光学要素は、ある波長の範囲の光を選択的に透過させ、前記第２の結合光学要素は、前記ある波長の範囲の光を選択的に反射させ、前記第１および第２の結合光学要素は、前記基板の近位表面上に配置される、請求項１に記載の光学デバイス。
【請求項１７】
ユーザの頭部上に装着されるように構成される頭部搭載型ディスプレイ（ＨＭＤ）であって、前記ＨＭＤは、
フレームと、
一対の光学要素であって、前記一対の光学要素は、前記一対の光学要素の各光学要素が前記ユーザの眼の前方に配置されることが可能であるように、前記フレームによって支持される、一対の光学要素と、
結像システムであって、前記結像システムは、
前記フレームに搭載されるカメラアセンブリと、
請求項１に記載の光学デバイスと
を備える、結像システムと
を備える、ＨＭＤ。
【請求項１８】
前記一対の光学要素の少なくとも１つの光学要素は、前記基板を含む、請求項１７に記載のＨＭＤ。
【請求項１９】
前記基板は、前記一対の光学要素の少なくとも１つの光学要素の表面上に配置される、請求項１７に記載のＨＭＤ。
【請求項２０】
前記フレームは、一対の耳掛け部を備え、前記カメラアセンブリは、前記一対の耳掛け部のうちの１つ上に搭載される、請求項１７に記載のＨＭＤ。
【請求項２１】
前記カメラアセンブリは、前記第２の結合光学要素から受光された光を結像するように構成される前方に面したカメラアセンブリである、請求項１７に記載のＨＭＤ。
【請求項２２】
前記カメラアセンブリは、前記ユーザに向かって面した方向に配置される後方に面したカメラアセンブリであり、前記後方に面したカメラアセンブリは、前記第２の結合光学要素から受光された光を結像するように構成される、請求項１７に記載のＨＭＤ。
【請求項２３】
第１の波長の範囲の光を前記ユーザの眼、前記眼の一部、または前記眼を囲繞する組織の一部のうちの少なくとも１つに向かって放出する光源をさらに備える、請求項１７に記載のＨＭＤ。
【請求項２４】
前記第１の波長の範囲の光は、前記ユーザの眼、前記眼の一部、または前記眼を囲繞する組織の一部のうちの少なくとも１つによって、前記第１の結合光学要素に向かって反射される、請求項２３に記載のＨＭＤ。
【請求項２５】
前記一対の光学要素はそれぞれ、可視光に対して透過性である、請求項１７に記載のＨＭＤ。
【請求項２６】
前記一対の光学要素はそれぞれ、画像をユーザに表示するように構成される、請求項１７に記載のＨＭＤ。
【請求項２７】
カメラアセンブリは、前記第２の結合光学要素から受光された光に部分的に基づいて、前記ユーザの眼、前記眼の一部、または前記眼を囲繞する組織の一部のうちの少なくとも１つを結像するように構成される、請求項１７に記載のＨＭＤ。
【請求項２８】
前記ＨＭＤは、前記ユーザの眼、前記眼の一部、または前記眼を囲繞する組織の一部のうちの少なくとも１つの画像に基づいて、前記ユーザの視線を追跡するように構成される、請求項２７に記載のＨＭＤ。
【請求項２９】
前記カメラアセンブリによって結像される画像は、前記ユーザの眼の正面に設置され、前記ユーザの眼、前記眼の一部、または前記眼を囲繞する組織の一部のうちの少なくとも１つを直接視認するカメラによって結像される画像と一致する、請求項２７に記載のＨＭＤ。
【請求項３０】
前記光学デバイスは、前記カメラアセンブリによって受光される迷光を低減させるように配列される、請求項１７に記載のＨＭＤ。
【請求項３１】
前記第１の結合光学要素のサイズは、前記基板の前記遠位表面と近位表面との間で反射された光のストライド距離未満であり、前記ストライド距離は、前記基板の厚さおよび前記第１の結合光学要素が前記光を偏向させる角度に基づく、請求項１７に記載のＨＭＤ。
【請求項３２】
前記第１の結合光学要素のサイズは、前記ユーザの眼の視野に基づく、請求項３１に記載のＨＭＤ。
【請求項３３】
前記カメラアセンブリによって結像される前記ユーザの眼の画像と、前記ユーザの眼の正面に設置されたカメラによって結像される前記ユーザの眼の画像とは、区別不能である、請求項１７に記載のＨＭＤ。
【請求項３４】
前記カメラアセンブリによって入手された画像を記憶するように構成される非一過性データ記憶装置と、
前記非一過性データ記憶装置と通信するハードウェアプロセッサであって、前記ハードウェアプロセッサは、前記画像を分析し、眼追跡、バイオメトリック識別、眼の形状の多視点再構築、眼の遠近調節状態の推定、または網膜、虹彩、眼の他の際立ったパターンの結像、および前記ユーザの生理学的状態の評価のうちの１つ以上のものを実施するための実行可能命令でプログラムされる、ハードウェアプロセッサと
をさらに備える、請求項１７に記載のＨＭＤ。
【請求項３５】
結像システムであって、
近位表面および遠位表面を有する基板であって、前記基板は、
前記近位表面および前記遠位表面のうちの１つ上に配置される第１の回折光学要素と、
前記近位表面および前記遠位表面のうちの１つ上に配置される第２の回折光学要素であって、前記第２の回折光学要素は、前記第１の回折光学要素から前記近位表面または前記遠位表面と平行方向に沿ってオフセットされる、第２の回折光学要素と
を備え、前記第１の回折光学要素は、光をある角度で偏向させ、前記光を前記近位表面と遠位表面との間で第２の結合光学要素に向かって全内部反射（ＴＩＲ）させるように構成され、前記第２の回折光学要素は、その上に入射する光を前記基板から外にある角度で偏向させるように構成される、基板と、
前記第２の回折光学要素によって偏向される前記光を結像するためのカメラアセンブリと
を備える、結像システム。
【請求項３６】
前記第１および第２の回折光学要素は、軸外回折光学要素（ＤＯＥ）、軸外回折格子、軸外回折光学要素（ＤＯＥ）、軸外ホログラフィックミラー（ＯＡＨＭ）、または軸外立体回折光学要素（ＯＡＶＤＯＥ）、軸外コレステリック液晶回折格子（ＯＡＣＬＣＧ）、ホットミラー、プリズム、または装飾レンズの表面のうちの少なくとも１つを含む、請求項３５に記載の結像システム。
【請求項３７】
仮想カメラを使用して、オブジェクトを結像する方法であって、前記方法は、
結像システムを結像されることになるオブジェクトの正面に提供することであって、前記結像システムは、
それぞれが基板の近位表面および遠位表面のうちの１つ上に配置され、相互からオフセットされる、第１の結合光学要素および第２の結合光学要素を備える基板であって、前記第１の結合光学要素は、光をある角度で偏向させ、前記光を前記近位表面と遠位表面との間で前記第２の結合光学要素に向かって全内部反射（ＴＩＲ）させるように構成され、前記第２の結合光学要素は、前記光を前記基板から外にある角度で偏向させるように構成される、基板
を備える、ことと、
前記第２の結合光学要素によって偏向される光を受光するように配向されるカメラアセンブリを用いて、前記光を捕捉することと、
前記捕捉された光に基づいて、前記オブジェクトの軸外画像を生成することと
を含む、方法。
【請求項３８】
前記第１および第２の結合光学要素はそれぞれ、第１の波長の範囲の光を偏向させる一方、第２の波長の範囲における光を透過させる、請求項３７に記載の方法。
【請求項３９】
光源によって放出される第１の波長の範囲を用いて、前記オブジェクトを照明することをさらに含む、請求項３７に記載の方法。
【請求項４０】
前記軸外画像を分析することと、
前記分析される軸外画像に部分的に基づいて、眼追跡、バイオメトリック識別、眼の形状の多視点再構築、眼の遠近調節状態の推定、または網膜、虹彩、眼の他の際立ったパターンの結像、および前記ユーザの生理学的状態の評価のうちの１つ以上のものを実施することと
をさらに含む、請求項３７に記載の方法。
【発明の詳細な説明】
【技術分野】
【０００１】
（関連出願の相互参照）
本願は、２０１７年３月２１日に出願され“ＥＹＥ−ＩＭＡＧＩＮＧ  ＡＰＰＡＲＡＴＵＳ  ＵＳＩＮＧ  ＤＩＦＦＲＡＣＴＩＶＥ  ＯＰＴＩＣＡＬ  ＥＬＥＭＥＮＴＳ”と題された米国仮特許出願第６２／４７４，４１９号に対する優先権の利益を主張するものであり、該米国仮特許出願の内容は、その全体が参照により本明細書中に援用される。
【０００２】
本開示は、仮想現実および拡張現実結像および可視化システムに関し、特に、結合光学要素を使用して、光をカメラアセンブリに指向する、眼の画像を入手するためのコンパクトな結像システムに関する。
【背景技術】
【０００３】
現代のコンピューティングおよびディスプレイ技術は、いわゆる「仮想現実」または「拡張現実」体験のためのシステムの開発を促進しており、デジタル的に再現された画像またはその一部が、現実であるように見える、またはそのように知覚され得る様式でユーザに提示される。仮想現実または「ＶＲ」シナリオは、典型的には、他の実際の実世界の視覚的入力に対する透過性を伴わずに、デジタルまたは仮想画像情報の提示を伴い、拡張現実または「ＡＲ」シナリオは、典型的には、ユーザの周囲の実際の世界の可視化に対する拡張としてのデジタルまたは仮想画像情報の提示を伴う。複合現実または「ＭＲ」シナリオは、一種のＡＲシナリオであって、典型的には、自然世界の中に統合され、それに応答する、仮想オブジェクトを伴う。例えば、ＭＲシナリオでは、ＡＲ画像コンテンツは、実世界内のオブジェクトによってブロックされて見える、または別様にそれと相互作用するように知覚される。
【０００４】
図１を参照すると、拡張現実場面１０が、描写され、ＡＲ技術のユーザには、人々、木々、背景における建物、およびコンクリートプラットフォーム３０を特徴とする、実世界公園状設定２０が見える。これらのアイテムに加え、ＡＲ技術のユーザはまた、実世界プラットフォーム３０上に立っているロボット像４０と、マルハナバチの擬人化のように見える、飛んでいる漫画のようなアバタキャラクタ５０等の「仮想コンテンツ」を「見ている」と知覚するが、これらの要素４０、５０は、実世界には存在しない。ヒトの視知覚系は、複雑であって、他の仮想または実世界画像要素間における仮想画像要素の快適で、自然のような感覚で、かつ豊かな提示を促進する、ＡＲ技術の生成は、困難である。
【０００５】
本明細書に開示されるシステムおよび方法は、ＡＲおよびＶＲ技術に関連する種々の課題に対処する。
【発明の概要】
【課題を解決するための手段】
【０００６】
添付の請求項の範囲内である方法および装置の種々の実装はそれぞれ、いくつかの側面を有し、そのうちの単一の１つが、本明細書に開示される望ましい属性に関与するわけではない。添付の請求項の範囲を限定することなく、いくつかの顕著な特徴が、本明細書に説明される。
【０００７】
本開示の一側面は、オブジェクトを直接視認しない、カメラアセンブリを用いて、オブジェクトを結像するステップを提供する。故に、本明細書に説明される実施形態による、光学デバイスは、直接視認位置にあるかのように、オブジェクトの画像を捕捉するように、オブジェクトからの光を軸外カメラアセンブリに指向するように構成される。
【０００８】
いくつかの実施形態では、軸外カメラアセンブリを使用して、オブジェクトの画像を入手するためのシステム、デバイス、および方法が、開示される。一実装では、近位表面および遠位表面を有する、基板と、基板の近位表面および遠位表面のうちの１つ上に配置される、第１の結合光学要素と、基板の近位表面および遠位表面のうちの１つ上に配置され、第１の結合光学要素からオフセットされる、第２の結合光学要素とを含み得る、光学デバイスが、開示される。第１の結合光学要素は、光をある角度で偏向させ、光を近位表面と遠位表面との間で第２の結合光学要素に向かって全内部反射（ＴＩＲ）させるように構成されてもよい。第２の結合光学要素は、光を基板から外にある角度で偏向させるように構成されてもよい。いくつかの実施形態では、第１および第２の結合光学要素のうちの少なくとも１つは、複数の回折特徴を含む。
【０００９】
いくつかの実施形態では、軸外カメラアセンブリを使用して、オブジェクトの画像を入手するためのシステム、デバイス、および方法が、開示される。一実装では、フレームと、一対の光学要素の各光学要素がユーザの眼の前方に配置されることが可能であるように、フレームによって支持される、一対の光学要素と、結像システムとを含み得る、ユーザの頭部上に装着されるように構成される、頭部搭載型ディスプレイ（ＨＭＤ）が、開示される。結像システムは、フレームに搭載される、カメラアセンブリと、光をカメラアセンブリに指向するための光学デバイスとを含んでもよい。光学デバイスは、近位表面および遠位表面を有する、基板と、基板の近位表面および遠位表面のうちの１つ上に配置される、第１の結合光学要素と、基板の近位表面および遠位表面のうちの１つ上に配置され、第１の結合光学要素からオフセットされる、第２の結合光学要素とを含んでもよい。第１の結合光学要素は、光をある角度で偏向させ、光を近位表面と遠位表面との間で第２の結合光学要素に向かってＴＩＲするように構成されてもよい。第２の結合光学要素は、光を基板から外にある角度で偏向させるように構成されてもよい。
【００１０】
いくつかの実施形態では、軸外カメラアセンブリを使用して、オブジェクトの画像を入手するためのシステム、デバイス、および方法が、開示される。一実装では、近位表面および遠位表面を有する、基板を含み得る、結像システムが、開示される。基板は、基板の近位表面および遠位表面のうちの１つ上に配置される、第１の回折光学要素と、基板の近位表面および遠位表面のうちの１つ上に配置され、第１の結合光学要素からオフセットされる、第２の回折光学要素とを含んでもよい。第１の回折光学要素は、光をある角度で偏向させ、光を近位表面と遠位表面との間で第２の結合光学要素に向かってＴＩＲするように構成されてもよい。第２の回折光学要素は、その上に入射する光を基板から外にある角度で偏向させるように構成されてもよい。結像システムはまた、カメラアセンブリを含み、第２の結合光学要素によって偏向される光を結像してもよい。いくつかの実施形態では、第１および第２の回折光学要素は、軸外回折光学要素（ＤＯＥ）、軸外回折格子、軸外回折光学要素（ＤＯＥ）、軸外ホログラフィックミラー（ＯＡＨＭ）、または軸外立体回折光学要素（ＯＡＶＤＯＥ）、軸外コレステリック液晶回折格子（ＯＡＣＬＣＧ）、ホットミラー、プリズム、または装飾レンズの表面のうちの少なくとも１つを含む。
【００１１】
いくつかの実施形態では、軸外カメラアセンブリを使用して、オブジェクトの画像を入手するためのシステム、デバイス、および方法が、開示される。本方法は、結像システムを結像されることになるオブジェクトの正面に提供するステップを含んでもよい。結像システムは、それぞれ、基板の近位表面および遠位表面のうちの１つ上に配置され、相互からオフセットされる、第１の結合光学要素および第２の結合光学要素を含み得る、基板であってもよい。第１の結合光学要素は、光をある角度で偏向させ、光を近位表面と遠位表面との間で第２の結合光学要素に向かってＴＩＲするように構成されてもよい。第２の結合光学要素は、光を基板から外にある角度で偏向させるように構成されてもよい。本方法はまた、第２の結合光学要素によって偏向される光を受光するように配向されるカメラアセンブリを用いて、光を捕捉するステップと、捕捉された光に基づいて、オブジェクトの軸外画像を生成するステップとを含んでもよい。
【００１２】
実施形態のいずれかでは、基板の近位表面および遠位表面は、相互に平行であることができるが、その必要はない。例えば、基板は、楔を備えてもよい。
【００１３】
本明細書に説明される主題の１つ以上の実装の詳細は、付随の図面および下記の説明に記載される。他の特徴、側面、および利点は、説明、図面、および請求項から明白となるであろう。本概要または以下の詳細な説明のいずれも、本発明の主題の範囲を定義または限定することを主張するものではない。
【図面の簡単な説明】
【００１４】
【図１】図１は、ＡＲデバイスを通した拡張現実（ＡＲ）のユーザのビューを図示する。
【００１５】
【図２】図２は、ウェアラブルディスプレイシステムの実施例を図示する。
【００１６】
【図３】図３は、ユーザのための３次元画像をシミュレートするための従来のディスプレイシステムを図示する。
【００１７】
【図４】図４は、複数の深度平面を使用して３次元画像をシミュレートするためのアプローチの側面を図示する。
【００１８】
【図５】図５Ａ−５Ｃは、曲率半径と焦点半径との間の関係を図示する。
【００１９】
【図６】図６は、画像情報をユーザに出力するための導波管スタックの実施例を図示する。
【００２０】
【図７】図７は、導波管によって出力された出射ビームの実施例を図示する。
【００２１】
【図８】図８は、スタックされた導波管アセンブリの実施例を図示し、各深度平面は、複数の異なる原色を使用して形成される画像を含む。
【００２２】
【図９Ａ】図９Ａは、それぞれ、内部結合光学要素を含む、スタックされた導波管のセットの実施例の断面側面図を図示する。
【００２３】
【図９Ｂ】図９Ｂは、図９Ａの複数のスタックされた導波管の実施例の斜視図を図示する。
【００２４】
【図９Ｃ】図９Ｃは、図９Ａおよび９Ｂの複数のスタックされた導波管の実施例の上下平面図を図示する。
【００２５】
【図１０Ａ】図１０Ａおよび１０Ｂは、眼を追跡するための結合光学要素およびカメラアセンブリを備える、例示的結像システムを図式的に図示する。
【図１０Ｂ】図１０Ａおよび１０Ｂは、眼を追跡するための結合光学要素およびカメラアセンブリを備える、例示的結像システムを図式的に図示する。
【００２６】
【図１１】図１１は、オブジェクトからの光を基板を通して全内部反射させ、オブジェクトをカメラアセンブリにおいて結像するための複数の結合光学要素を備える、別の例示的結像システムを図式的に図示する。
【００２７】
【図１２Ａ】図１２Ａは、オブジェクトからの光を基板を通して全内部反射させ、オブジェクトをカメラアセンブリにおいて結像するための複数の結合光学要素を備える、別の例示的結像システムを図式的に図示する。
【００２８】
【図１２Ｂ】図１２Ｂは、図１２Ａの結像システムを使用したオブジェクトの例示的画像である。
【００２９】
【図１３】図１３Ａおよび１３Ｂは、オブジェクトからの光を基板を通して全内部反射させ、オブジェクトをカメラアセンブリにおいて結像するための複数の結合光学要素を備える、別の例示的結像システムを図式的に図示する。
【００３０】
【図１４】図１４Ａ−１８は、オブジェクトを結像するための結像システムのいくつかの例示的配列を図式的に図示する。
【図１５】図１４Ａ−１８は、オブジェクトを結像するための結像システムのいくつかの例示的配列を図式的に図示する。
【図１６】図１４Ａ−１８は、オブジェクトを結像するための結像システムのいくつかの例示的配列を図式的に図示する。
【図１７】図１４Ａ−１８は、オブジェクトを結像するための結像システムのいくつかの例示的配列を図式的に図示する。
【図１８】図１４Ａ−１８は、オブジェクトを結像するための結像システムのいくつかの例示的配列を図式的に図示する。
【００３１】
【図１９】図１９は、軸外カメラを使用してオブジェクトを結像するための方法の実施例のプロセスフロー図である。
【発明を実施するための形態】
【００３２】
図面全体を通して、参照番号は、参照される要素間の対応を示すために再使用され得る。図面は、本明細書に説明される例示的実施形態を図示するために提供され、本開示の範囲を限定することを意図するものではない。
（概要）
【００３３】
頭部搭載型ディスプレイ（ＨＭＤ）は、種々の目的のために、装着者の眼の状態についての情報を使用し得る。例えば、本情報は、装着者の視線方向の推定、バイオメトリック識別、視覚研究、装着者の生理学的状態の評価等のために使用されることができる。しかしながら、眼を結像することは、困難であり得る。ＨＭＤと装着者の眼との間の距離は、短い。さらに、視線追跡は、広視野（ＦＯＶ）を要求する一方、バイオメトリック識別は、比較的に高ピクセル数を虹彩上の標的上に要求する。これらの目的の両方を遂行することを模索する、結像システムに関して、これらの要件は、主として、競合する。さらに、両問題は、眼瞼および睫毛によるオクルージョンによって、さらに複雑となり得る。眼移動を追跡するためのいくつかの現在の実装は、ＨＭＤ上に搭載されるカメラを使用して、直接、眼に向かって向けられ、眼の直接画像を捕捉する。しかしながら、所望のＦＯＶおよびピクセル数を達成するために、カメラは、装着者のＦＯＶ内に搭載され、したがって、周囲世界を見るための装着者の能力を妨害し、それに干渉する傾向にある。他の実装は、カメラを装着者のビューを妨害しないように移動させながら、眼を直接結像するが、これは、眼を高角度から結像する結果をもたらし、画像の歪曲を生じさせ、眼を結像するために利用可能な視野を低減させる。
【００３４】
本明細書に説明される結像システムの実施形態は、これらの問題の一部または全部に対処する。本明細書に説明される種々の実施形態は、眼を結像することが可能にしながら、装着者が周囲世界を視認することを可能にする、装置およびシステムを提供する。例えば、結像システムは、眼とカメラアセンブリとの間の通視線に沿って配置される、基板を備えることができる。基板は、眼からの光を基板の中に指向するように構成される、１つ以上の結合光学要素を含む。基板は、光をカメラアセンブリに向かって指向する、光導波路（時として、導波管とも称される）として作用し得る。光は、次いで、基板から出射し、１つ以上の結合光学要素を介して、カメラアセンブリに指向され得る。光を受光する、カメラアセンブリは、したがって、離れた位置（時として、本明細書では、「軸外」とも称される）からの直接視認位置にあるかのように、眼の画像（時として、以降、「直接視認画像」とも称される）を捕捉することが可能である。
【００３５】
本明細書に説明される結像システムのいくつかの実施形態は、相互から側方にオフセットされる、第１および第２の結合光学要素を備える、基板を提供する。基板は、眼に最も近い表面（時として、本明細書では、近位表面とも称される）と、眼から最も遠い表面（時として、遠位表面とも称される）とを含む。本明細書に説明される第１および第２の結合光学要素は、近位表面上またはそれに隣接して、遠位表面上またはそれに隣接して、または基板内に配置されることができる。第１の結合光学要素（時として、本明細書では、内部結合光学要素とも称される）は、光が、全内部反射（ＴＩＲ）によって、基板を通して伝搬するように、眼からの光を基板の中に偏向させるように構成されることができる。光は、光を抽出し、それをカメラアセンブリに向かって偏向させるように構成される、第２の結合光学要素上に入射し得る。本明細書で使用されるように、偏向は、何らかのものと相互作用後の光の方向の変化を指し得、例えば、光を偏向させる光学コンポーネントは、反射、回折、屈折、光学コンポーネントを通して透過させながらの方向の変化等を指し得る。
【００３６】
いくつかの実施形態では、本明細書に説明される結像システムは、ＨＭＤのディスプレイ光学の一部（または一対の眼鏡内のレンズ）であってもよい。１つ以上の結合光学要素は、第１の波長の範囲を偏向させる一方、基板を通して第２の波長の範囲（例えば、第１の範囲と異なる波長の範囲）の非妨害伝搬を可能にするように選択されてもよい。第１の波長の範囲は、赤外線（ＩＲ）内であることができ、第２の波長の範囲は、可視内であることができる。例えば、基板は、反射結合光学要素を備えることができ、これは、ＩＲ光を反射させる一方、可視光を透過させる。事実上、結像システムは、装着者の眼に向かって逆指向される仮想カメラアセンブリが存在するかのように作用する。したがって、仮想カメラアセンブリは、装着者の眼から基板を通して伝搬される仮想ＩＲ光を結像することができる一方、外界からの可視光は、基板を通して透過されることができ、装着者によって知覚されることができる。
【００３７】
カメラアセンブリは、装着者の眼を視認し、例えば、眼の画像を捕捉するように構成されてもよい。カメラアセンブリは、カメラアセンブリが、周囲世界の装着者のビューを妨害するように、または、ＨＭＤの動作を邪魔しないように、装着者の眼に近接して搭載されることができる。いくつかの実施形態では、カメラアセンブリは、ウェアラブルディスプレイシステムのフレーム、例えば、耳掛け部上に位置付けられる、またはＨＭＤの接眼レンズまたは眼の下方かつ頬の上方に内蔵されることができる。いくつかの実施形態では、第２のカメラアセンブリは、各眼が別個に結像され得るように、装着者の他方の眼のために使用されることができる。カメラアセンブリは、ＩＲ放射に敏感なＩＲデジタルカメラを含むことができる。
【００３８】
カメラアセンブリは、前方（装着者の視覚の方向）に面してるように、または後方に面し、眼に向かって指向され得るように、搭載されることができる。いくつかの実施形態では、カメラアセンブリを装着者の耳のより近くに配置することによって、カメラアセンブリの重量もまた、耳のより近くになり得、ＨＭＤは、カメラアセンブリがＨＭＤの正面のより近くにまたは直接視認配列において配置される、ＨＭＤと比較して、装着がより容易であり得る。加えて、カメラアセンブリを装着者のこめかみの近傍に設置することによって、装着者の眼からカメラアセンブリまでの距離は、ＨＭＤの正面の近傍に配置されるカメラアセンブリと比較して、約２倍となる。画像の被写界深度は、本距離にほぼ比例するため、カメラアセンブリのための被写界深度は、直接視認カメラアセンブリと比較して、約２倍の大きさである。カメラアセンブリのための被写界深度が大きいほど、大きいまたは突出する鼻、眉弓等を有する装着者の眼領域を結像するために有利であり得る。いくつかの実施形態では、カメラアセンブリの位置は、ＨＭＤのパッケージングまたは設計考慮点に基づいてもよい。例えば、いくつかの構成では、カメラアセンブリを後方または前方に面して配置することが有利であり得る。
【００３９】
任意の特定の科学理論に賛同する訳ではないが、本明細書に説明される実施形態は、いくつかの非限定的利点を含み得る。いくつかの実施形態は、カメラアセンブリと眼との間の物理的距離を増加させることが可能であって、これは、カメラアセンブリを装着者の視野外に位置付けることを促進し、したがって、装着者のビューを妨害しない一方、眼の直接視認画像の捕捉を可能にし得る。本明細書に説明される実施形態のうちのいくつかはまた、従来のシステムより大きい視野を使用して、眼追跡を可能にし、したがって、広範囲の位置にわたって眼追跡を可能にするように構成され得る。ＩＲ結像の使用は、基板を通して見て、環境を視認する装着者の能力に干渉せずに、眼を結像することを促進し得る。
【００４０】
ここで、同様の参照番号が全体を通して同様の部分を指す、図を参照する。
例示的ＨＭＤデバイス
【００４１】
図２は、ウェアラブルディスプレイシステム６０の実施例を図示する。ディスプレイシステム６０は、ディスプレイ７０と、そのディスプレイ７０の機能をサポートするための種々の機械的および電子的モジュールおよびシステムとを含む。ディスプレイ７０は、フレーム８０に結合されてもよく、これは、ディスプレイシステムユーザまたは視認者９０によって装着可能であって、ディスプレイ７０をユーザ９０の眼の正面に位置付けるように構成される。ディスプレイ７０は、いくつかの実施形態では、アイウェアと見なされてもよい。いくつかの実施形態では、スピーカ１００が、フレーム８０に結合され、ユーザ９０の外耳道に隣接して位置付けられるように構成される（いくつかの実施形態では、示されない別のスピーカが、ユーザの他方の外耳道に隣接して位置付けられ、ステレオ／成形可能音制御を提供してもよい）。いくつかの実施形態では、ディスプレイシステムはまた、１つ以上のマイクロホン１１０または他のデバイスを含み、音を検出してもよい。いくつかの実施形態では、マイクロホンは、ユーザが、入力またはコマンドをシステム６０に提供することを可能にするように構成され（例えば、音声メニューコマンドの選択、自然言語質問等）、および／または他の人物（例えば、類似ディスプレイシステムの他のユーザ）とのオーディオ通信を可能にしてもよい。マイクロホンはさらに、周辺センサとして構成され、オーディオデータ（例えば、ユーザおよび／または環境からの音）を収集してもよい。いくつかの実施形態では、ディスプレイシステムはまた、周辺センサ１２０ａを含んでもよく、これは、フレーム８０と別個であって、ユーザ９０の身体（例えば、ユーザ９０の頭部、胴体、四肢等上）に取り付けられてもよい。周辺センサ１２０ａは、いくつかの実施形態では、ユーザ９０の生理学的状態を特徴付けるデータを取得するように構成されてもよい。例えば、センサ１２０ａは、電極であってもよい。
【００４２】
図２を継続して参照すると、ディスプレイ７０は、有線導線または無線コネクティビティ等の通信リンク１３０によって、ローカルデータ処理モジュール１４０に動作可能に結合され、これは、フレーム８０に固定して取り付けられる、ユーザによって装着されるヘルメットまたは帽子に固定して取り付けられる、ヘッドホンに内蔵される、または別様にユーザ９０に除去可能に取り付けられる（例えば、リュック式構成において、ベルト結合式構成において）等、種々の構成で搭載されてもよい。同様に、センサ１２０ａは、通信リンク１２０ｂ、例えば、有線導線または無線コネクティビティによって、ローカルプロセッサおよびデータモジュール１４０に動作可能に結合されてもよい。ローカル処理およびデータモジュール１４０は、ハードウェアプロセッサおよび不揮発性メモリ（例えば、フラッシュメモリまたはハードディスクドライブ）等のデジタルメモリを備えてもよく、その両方とも、データの処理、キャッシュ、および記憶を補助するために利用され得る。データは、ａ）画像捕捉デバイス（例えば、カメラ等）、マイクロホン、慣性測定ユニット、加速度計、コンパス、ＧＰＳユニット、無線デバイス、ジャイロスコープ、および／または本明細書に開示される他のセンサ等のセンサ（例えば、フレーム８０に動作可能に結合される、または別様にユーザ９０に取り付けられ得る）から捕捉されたデータ、および／またはｂ）場合によっては処理または読出後にディスプレイ７０への通過のために、遠隔処理モジュール１５０および／または遠隔データリポジトリ１６０（仮想コンテンツに関連するデータを含む）を使用して取得および／または処理されたデータを含んでもよい。ローカル処理およびデータモジュール１４０は、これらの遠隔モジュール１５０、１６０が相互に動作可能に結合され、ローカル処理およびデータモジュール１４０に対するリソースとして利用可能であるように、有線または無線通信リンク等を介して、通信リンク１７０、１８０によって、遠隔処理モジュール１５０および遠隔データリポジトリ１６０に動作可能に結合されてもよい。いくつかの実施形態では、ローカル処理およびデータモジュール１４０は、画像捕捉デバイス、マイクロホン、慣性測定ユニット、加速度計、コンパス、ＧＰＳユニット、無線デバイス、および／またはジャイロスコープのうちの１つ以上のものを含んでもよい。いくつかの他の実施形態では、これらのセンサのうちの１つまたはそれを上回るものは、フレーム８０に取り付けられてもよい、または有線または無線通信経路によってローカル処理およびデータモジュール１４０と通信する、独立構造であってもよい。
【００４３】
図２を継続して参照すると、いくつかの実施形態では、遠隔処理モジュール１５０は、データおよび／または画像情報を分析および処理するように構成される、１つ以上のプロセッサを備えてもよい。いくつかの実施形態では、遠隔データリポジトリ１６０は、デジタルデータ記憶設備を備え得、これは、インターネットまたは「クラウド」リソース構成における他のネットワーキング構成を通して利用可能であってもよい。いくつかの実施形態では、遠隔データリポジトリ１６０は、情報、例えば、拡張現実コンテンツを生成するための情報をローカル処理およびデータモジュール１４０および／または遠隔処理モジュール１５０に提供する、１つ以上の遠隔サーバを含んでもよい。いくつかの実施形態では、全てのデータが、記憶され、全ての算出が、ローカル処理およびデータモジュール内において実施され、遠隔モジュールからの完全に自律的な使用を可能にする。
【００４４】
「３次元」または「３−Ｄ」としての画像の知覚は、視認者の各眼への画像の若干異なる提示を提供することによって達成され得る。図３は、ユーザに関する３次元画像をシミュレートするための従来のディスプレイシステムを図示する。眼２１０、２２０毎に１つの２つの明確に異なる画像１９０、２００が、ユーザに出力される。画像１９０、２００は、視認者の視線と平行な光学軸またはｚ−軸に沿って距離２３０だけ眼２１０、２２０から離間される。画像１９０、２００は、平坦であって、眼２１０、２２０は、単一の遠近調節された状態をとることによって、画像上に合焦し得る。そのような３−Ｄディスプレイシステムは、ヒト視覚系に依拠し、画像１９０、２００を組み合わせ、組み合わせられた画像の深度および／または尺度の知覚を提供する。
【００４５】
しかしながら、ヒト視覚系は、より複雑であって、深度の現実的知覚を提供することは、より困難であることを理解されたい。例えば、従来の「３−Ｄ」ディスプレイシステムの多くの視認者は、そのようなシステムが不快であることを見出す、または深度の感覚を全く知覚しない場合がある。理論によって限定されるわけではないが、オブジェクトの視認者は、輻輳・開散（ｖｅｒｇｅｎｃｅ）と遠近調節（ａｃｃｍｍｏｄａｔｉｏｎ）との組み合わせに起因して、オブジェクトを「３次元」として知覚し得ると考えられる。相互に対する２つの眼の輻輳・開散運動の移動（例えば、瞳孔が、相互に向かって、またはそこから離れるように移動し、眼の視線を収束させ、オブジェクトを固視するような眼の回転）は、眼の水晶体および瞳孔の合焦（または「遠近調節」）と緊密に関連付けられる。通常条件下、焦点を１つのオブジェクトから異なる距離における別のオブジェクトに変化させるための眼のレンズの焦点の変化または眼の遠近調節は、「遠近調節−輻輳・開散運動反射」および散瞳または縮瞳として知られる関係下、輻輳・開散運動の整合変化を自動的に同一距離に生じさせるであろう。同様に、輻輳・開散運動の変化は、通常条件下、水晶体形状および瞳孔サイズの遠近調節における整合変化を誘起するであろう。本明細書に記載されるように、多くの立体視または「３−Ｄ」ディスプレイシステムは、３次元視点がヒト視覚系によって知覚されるように、各眼への若干異なる提示（したがって、若干異なる画像）を使用して、場面を表示する。しかしながら、そのようなシステムは、とりわけ、単に、場面の異なる提示を提供するが、眼が全画像情報を単一の遠近調節された状態において視認すると、「遠近調節−輻輳・開散運動反射」に対抗して機能するため、多くの視認者にとって不快である。遠近調節と輻輳・開散運動との間のより優れた整合を提供するディスプレイシステムは、３次元画像のより現実的かつ快適なシミュレーションを形成し、装着持続時間の増加、ひいては、診断および療法プロトコルへのコンプライアンスに寄与し得る。
【００４６】
図４は、複数の深度平面を使用して３次元画像をシミュレートするためのアプローチの側面を図示する。図４を参照すると、ｚ−軸上の眼２１０、２２０からの種々の距離におけるオブジェクトは、それらのオブジェクトが合焦するように、眼２１０、２２０によって遠近調節される。眼２１０、２２０は、特定の遠近調節された状態をとり、オブジェクトをｚ−軸に沿った異なる距離に合焦させる。その結果、特定の遠近調節された状態は、特定の深度平面におけるオブジェクトまたはオブジェクトの一部が、眼がその深度平面に対して遠近調節された状態にあるとき、合焦するように、関連付けられた焦点距離を有する、深度平面２４０のうちの特定の１つと関連付けられると言え得る。いくつかの実施形態では、３次元画像は、眼２１０、２２０毎に、画像の異なる提示を提供することによって、また、深度平面のそれぞれに対応する画像の異なる提示を提供することによってシミュレートされてもよい。例証を明確にするために、別個であるように示されるが、眼２１０、２２０の視野は、例えば、ｚ−軸に沿った距離が増加するにつれて、重複し得ることを理解されたい。加えて、例証を容易にするために、平坦であるように示されるが、深度平面の輪郭は、深度平面内の全ての特徴が特定の遠近調節された状態における眼と合焦するように、物理的空間内で湾曲され得ることを理解されたい。
【００４７】
オブジェクトと眼２１０または２２０との間の距離はまた、その眼によって視認されるようなそのオブジェクトからの光の発散の量を変化させ得る。図５Ａ−５Ｃは、距離と光線の発散との間の関係を図示する。オブジェクトと眼２１０との間の距離は、減少距離Ｒ１、Ｒ２、およびＲ３の順序で表される。図５Ａ−５Ｃに示されるように、光線は、オブジェクトまでの距離が減少するにつれてより発散する。距離が増加するにつれて、光線は、よりコリメートされる。換言すると、点（オブジェクトまたはオブジェクトの一部）によって生成されるライトフィールドは、点がユーザの眼から離れている距離の関数である、球状波面曲率を有すると言え得る。曲率は、オブジェクトと眼２１０との間の距離の減少に伴って増加する。その結果、異なる深度平面では、光線の発散度もまた、異なり、発散度は、深度平面と視認者の眼２１０との間の距離の減少に伴って増加する。単眼２１０のみが、例証を明確にするために、図５Ａ−５Ｃおよび本明細書の他の図に図示されるが、眼２１０に関する議論は、視認者の両眼２１０および２２０に適用され得ることを理解されたい。
【００４８】
理論によって限定されるわけではないが、ヒトの眼は、典型的には、有限数の深度平面を解釈し、深度知覚を提供することができると考えられる。その結果、知覚された深度の高度に真実味のあるシミュレーションが、眼にこれらの限定数の深度平面のそれぞれに対応する画像の異なる提示を提供することによって達成され得る。異なる提示は、視認者の眼によって別個に集束され、それによって、異なる深度平面上に位置する場面のための異なる画像特徴に合焦させるために要求される眼の遠近調節に基づいて、および／または焦点がずれている異なる深度平面上の異なる画像特徴の観察に基づいて、ユーザに深度合図を提供することに役立ててもよい。
導波管スタックアセンブリの実施例
【００４９】
図６は、画像情報をユーザに出力するための導波管スタックの実施例を図示する。ディスプレイシステム２５０は、複数の導波管２７０、２８０、２９０、３００、３１０を使用して、３次元知覚を眼／脳に提供するために利用され得る、導波管のスタックまたはスタックされた導波管アセンブリ２６０を含む。いくつかの実施形態では、ディスプレイシステム２５０は、図２のシステム６０であって、図６は、そのシステム６０のいくつかの部分をより詳細に図式的に示す。例えば、導波管アセンブリ２６０は、図２のディスプレイ７０の一部であってもよい。ディスプレイシステム２５０は、いくつかの実施形態では、ライトフィールドディスプレイと見なされてもよいことを理解されたい。
【００５０】
図６を継続して参照すると、導波管アセンブリ２６０はまた、複数の特徴３２０、３３０、３４０、３５０を導波管の間に含んでもよい。いくつかの実施形態では、特徴３２０、３３０、３４０、３５０は、１つ以上のレンズであってもよい。導波管２７０、２８０、２９０、３００、３１０および／または複数のレンズ３２０、３３０、３４０、３５０は、種々のレベルの波面曲率または光線発散を用いて画像情報を眼に送信するように構成されてもよい。各導波管レベルは、特定の深度平面と関連付けられてもよく、その深度平面に対応する画像情報を出力するように構成されてもよい。画像投入デバイス３６０、３７０、３８０、３９０、４００は、導波管のための光源として機能してもよく、画像情報を導波管２７０、２８０、２９０、３００、３１０の中に投入するために利用されてもよく、それぞれ、本明細書に説明されるように、眼２１０に向かって出力のために各個別の導波管を横断して入射光を分散させるように構成されてもよい。光は、画像投入デバイス３６０、３７２、３８０、３９０、４００の出力表面４１０、４２０、４３０、４４０、４５０から出射し、導波管２７０、２８０、２９０、３００、３１０の対応する入力表面４６０、４７０、４８０、４９０、５００の中に投入される。いくつかの実施形態では、入力表面４６０、４７０、４８０、４９０、５００はそれぞれ、対応する導波管の縁であってもよい、または対応する導波管の主要表面の一部（すなわち、世界５１０または視認者の眼２１０に直接面する導波管表面のうちの１つ）であってもよい。いくつかの実施形態では、光の単一ビーム（例えば、コリメートされたビーム）が、各導波管の中に投入され、クローン化されたコリメートビームの全体場を出力してもよく、特定の導波管と関連付けられた深度平面に対応する特定の角度（および発散量）において眼２１０に向かって指向される。いくつかの実施形態では、画像投入デバイス３６０、３７０、３８０、３９０、４００のうちの単一の１つは、複数（例えば、３つ）の導波管２７０、２８０、２９０、３００、３１０と関連付けられ、その中に光を投入してもよい。
【００５１】
いくつかの実施形態では、画像投入デバイス３６０、３７０、３８４、３９０、４００はそれぞれ、それぞれが対応する導波管２７０、２８０、２９０、３００、３１０の中への投入のための画像情報を生成する、離散ディスプレイである。いくつかの他の実施形態では、画像投入デバイス３６０、３７０、３８０、３９０、４００は、例えば、画像情報を１つ以上の光学導管（光ファイバケーブル等）を介して画像投入デバイス３６０、３７０、３８０、３９０、４００のそれぞれに送り得る、単一の多重化されたディスプレイの出力端である。画像投入デバイス３６０、３７０、３８０、３９０、４００によって提供される画像情報は、異なる波長または色（例えば、本明細書に議論されるように、異なる原色）の光を含んでもよいことを理解されたい。
【００５２】
いくつかの実施形態では、導波管２７０、２８０、２９０、３００、３１０の中に投入される光は、光プロジェクタシステム５２０によって提供され、これは、光モジュール５３０を備え、これは、発光ダイオード（ＬＥＤ）等の光エミッタを含んでもよい。光モジュール５３０からの光は、ビームスプリッタ５５０を介して、光変調器５４０、例えば、空間光変調器によって指向および修正されてもよい。光変調器５４０は、導波管２７０、２８０、２９０、３００、３１０の中に投入される光の知覚される強度を変化させるように構成されてもよい。空間光変調器の実施例は、シリコン上液晶（ＬＣＯＳ）ディスプレイを含む、液晶ディスプレイ（ＬＣＤ）を含む。
【００５３】
いくつかの実施形態では、ディスプレイシステム２５０は、光を種々のパターン（例えば、ラスタ走査、螺旋走査、リサジューパターン等）で１つ以上の導波管２７０、２８０、２９０、３００、３１０の中に、最終的には、視認者の眼２１０に投影するように構成される、１つ以上の走査ファイバを備える、走査ファイバディスプレイであってもよい。いくつかの実施形態では、図示される画像投入デバイス３６０、３７０、３８０、３９０、４００は、光を１つまたは複数の導波管２７０、２８０、２９０、３００、３１０の中に投入するように構成される、単一走査ファイバまたは走査ファイバの束を図式的に表し得る。いくつかの他の実施形態では、図示される画像投入デバイス３６０、３７０、３８０、３９０、４００は、複数の走査ファイバまたは走査ファイバの複数の束を図式的に表し得、それぞれ、光を導波管２７０、２８０、２９０、３００、３１０のうちの関連付けられた１つの中に投入するように構成される。１つ以上の光ファイバは、光を光モジュール５３０から１つ以上の導波管２７０、２８０、２９０、３００、３１０に透過するように構成されてもよいことを理解されたい。１つ以上の介在光学構造が、走査ファイバまたは複数のファイバと、１つ以上の導波管２７０、２８０、２９０、３００、３１０との間に提供され、例えば、走査ファイバから出射する光を１つ以上の導波管２７０、２８０、２９０、３００、３１０の中に再指向してもよいことを理解されたい。
【００５４】
コントローラ５６０は、画像投入デバイス３６０、３７０、３８０、３９０、４００、光源５３０、および光モジュール５４０の動作を含む、スタックされた導波管アセンブリ２６０のうちの１つ以上のもの動作を制御する。いくつかの実施形態では、コントローラ５６０は、ローカルデータ処理モジュール１４０の一部である。コントローラ５６０は、例えば、本明細書に開示される種々のスキームのいずれかに従って、導波管２７０、２８０、２９０、３００、３１０への画像情報のタイミングおよび提供を調整する、プログラミング（例えば、非一過性媒体内の命令）を含む。いくつかの実施形態では、コントローラは、単一の一体型デバイスまたは有線または無線通信チャネルによって接続される分散型システムであってもよい。コントローラ５６０は、いくつかの実施形態では、処理モジュール１４０または１５０（図２）の一部であってもよい。
【００５５】
図６を継続して参照すると、導波管２７０、２８０、２９０、３００、３１０は、ＴＩＲによって、光を各個別の導波管内で伝搬させるように構成されてもよい。導波管２７０、２８０、２９０、３００、３１０はそれぞれ、主要上部表面および主要底部表面およびそれらの主要上部表面と主要底部表面との間に延在する縁を伴う、平面である、または別の形状（例えば、湾曲）を有してもよい。図示される構成では、導波管２７０、２８０、２９０、３００、３１０はそれぞれ、光を再指向させ、各個別の導波管内で伝搬させ、導波管から画像情報を眼２１０に出力することによって、光を導波管から抽出するように構成される、外部結合光学要素５７０、５８０、５９０、６００、６１０を含んでもよい。抽出された光はまた、外部結合光と称され得、光を外部結合する光学要素はまた、光抽出光学要素と称され得る。抽出された光のビームは、導波管によって、導波管内で伝搬する光が光抽出光学要素に衝打する場所において出力され得る。外部結合光学要素５７０、５８０、５９０、６００、６１０は、例えば、本明細書にさらに議論されるような回折光学特徴を含む、格子であってもよい。説明を容易にし、図面を明確にするために、導波管２７０、２８０、２９０、３００、３１０の底部主要表面に配置されて図示されるが、いくつかの実施形態では、外部結合光学要素５７０、５８０、５９０、６００、６１０は、本明細書にさらに議論されるように、上部主要表面および／または底部主要表面に配置されてもよく、および／または導波管２７０、２８０、２９０、３００、３１０の容積内に直接配置されてもよい。いくつかの実施形態では、外部結合光学要素５７０、５８０、５９０、６００、６１０は、透明基板に取り付けられ、導波管２７０、２８０、２９０、３００、３１０を形成する、材料の層内に形成されてもよい。いくつかの他の実施形態では、導波管２７０、２８０、２９０、３００、３１０は、モノリシック材料部品であってもよく、外部結合光学要素５７０、５８０、５９０、６００、６１０は、その材料部品の表面上および／または内部に形成されてもよい。
【００５６】
図６を継続して参照すると、本明細書に議論されるように、各導波管２７０、２８０、２９０、３００、３１０は、光を出力し、特定の深度平面に対応する画像を形成するように構成される。例えば、眼の最近傍の導波管２７０は、眼２１０にコリメートされた光（そのような導波管２７０の中に投入された）を送達するように構成されてもよい。コリメートされた光は、光学無限遠焦点面を表し得る。次の上方の導波管２８０は、眼２１０に到達し得る前に、第１のレンズ３５０（例えば、負のレンズ）を通して通過する、コリメートされた光を送出するように構成されてもよい。そのような第１のレンズ３５０は、眼／脳が、その次の上方の導波管２８０から生じる光を光学無限遠から眼２１０に向かって内向きにより近い第１の焦点面から生じるように解釈するように、若干の凸面波面曲率を生成するように構成されてもよい。同様に、第３の上方の導波管２９０は、眼２１０に到達する前に、その出力光を第１のレンズ３５０および第２のレンズ３４０の両方を通して通過させる。第１のレンズ３５０および第２のレンズ３４０の組み合わせられた屈折力は、眼／脳が、第３の導波管２９０から生じる光が次の上方の導波管２８０からの光であったよりも光学無限遠から人物に向かって内向きにさらに近い第２の焦点面から生じるように解釈するように、別の漸増量の波面曲率を生成するように構成されてもよい。
【００５７】
他の導波管層３００、３１０およびレンズ３３０、３２０も同様に構成され、スタック内の最高導波管３１０は、人物に最も近い焦点面を表す集約焦点力のために、その出力をそれと眼との間のレンズの全てを通して送出する。スタックされた導波管アセンブリ２６０の他側の世界５１０から生じる光を視認／解釈するとき、レンズ３２０、３３０、３４０、３５０のスタックを補償するために、補償レンズ層６２０が、スタックの上部に配置され、下方のレンズスタック３２０、３３０、３４０、３５０の集約力を補償してもよい。そのような構成は、利用可能な導波管／レンズ対と同じ数の知覚される焦点面を提供する。導波管の外部結合光学要素およびレンズの集束側面は両方とも、静的であってもよい（すなわち、動的または電気活性ではない）。いくつかの代替実施形態では、一方または両方とも、電気活性特徴を使用して動的であってもよい。
【００５８】
いくつかの実施形態では、導波管２７０、２８０、２９０、３００、３１０のうちの２つ以上のものは、同一の関連付けられた深度平面を有してもよい。例えば、複数の導波管２７０、２８０、２９０、３００、３１０が、同一深度平面に設定される画像を出力するように構成されてもよい、または導波管２７０、２８０、２９０、３００、３１０の複数のサブセットが、深度平面毎に１つのセットを伴う、同一の複数の深度平面に設定される画像を出力するように構成されてもよい。これは、それらの深度平面において拡張された視野を提供するようにタイル化された画像を形成する利点を提供し得る。
【００５９】
図６を継続して参照すると、外部結合光学要素５７０、５８０、５９０、６００、６１０は、導波管と関連付けられた特定の深度平面のために、光をその個別の導波管から再指向し、かつ本光を適切な量の発散またはコリメーションを伴って出力するように構成されてもよい。その結果、異なる関連付けられた深度平面を有する導波管は、外部結合光学要素５７０、５８０、５９０、６００、６１０の異なる構成を有してもよく、これは、関連付けられた深度平面に応じて、異なる量の発散を伴う光を出力する。いくつかの実施形態では、光抽出光学要素５７０、５８０、５９０、６００、６１０は、光を具体的角度で出力するように構成され得る、体積特徴または表面特徴であってもよい。例えば、光抽出光学要素５７０、５８０、５９０、６００、６１０は、体積ホログラム、表面ホログラム、および／または回折格子であってもよい。いくつかの実施形態では、特徴３２０、３３０、３４０、３５０は、レンズではなくてもよい。むしろ、それらは、単に、スペーサであってもよい（例えば、クラッディング層および／または空隙を形成するための構造）。
【００６０】
いくつかの実施形態では、外部結合光学要素５７０、５８０、５９０、６００、６１０は、回折パターンを形成する回折特徴または「回折光学要素」（また、本明細書では、「ＤＯＥ」とも称される）である。好ましくは、ＤＯＥは、ビームの光の一部のみがＤＯＥの各交差部で眼２１０に向かって偏向される一方、残りがＴＩＲを介して、導波管を通して移動し続けるように、十分に低回折効率を有する。画像情報を搬送する光は、したがって、複数の場所において導波管から出射する、いくつかの関連出射ビームに分割され、その結果、導波管内でバウンスする本特定のコリメートされたビームに関して、眼２１０に向かって非常に均一パターンの出射放出となる。
【００６１】
いくつかの実施形態では、１つ以上のＤＯＥは、能動的に回折する「オン」状態と有意に回折しない「オフ」状態との間で切替可能であってもよい。例えば、切替可能なＤＯＥは、ポリマー分散液晶の層を備えてもよく、その中で微小液滴は、ホスト媒体中に回折パターンを備え、微小液滴の屈折率は、ホスト材料の屈折率に実質的に整合するように切り替えられてもよい（その場合、パターンは、入射光を著しく回折させない）、または微小液滴は、ホスト媒体のものに整合しない屈折率に切り替えられてもよい（その場合、パターンは、入射光を能動的に回折させる）。
【００６２】
いくつかの実施形態では、カメラアセンブリ６３０（例えば、可視光およびＩＲ光カメラを含む、デジタルカメラ）が、眼２１０、眼２１０の一部、または眼２１０を囲繞する組織の少なくとも一部の画像を捕捉し、例えば、ユーザ入力を検出する、バイオメトリック情報を眼から抽出する、眼の視線方向を推定および追跡する、ユーザの生理学的状態を監視する等のために提供されてもよい。本明細書で使用されるように、カメラは、任意の画像捕捉デバイスであってもよい。いくつかの実施形態では、カメラアセンブリ６３０は、画像捕捉デバイスと、光（例えば、ＩＲまたは近ＩＲ光）を眼に投影し、その光が、次いで、眼によって反射され、画像捕捉デバイスによって検出され得る、光源６３２とを含んでもよい。いくつかの実施形態では、光源６３２は、発光ダイオード（「ＬＥＤ」）を含み、ＩＲまたは近ＩＲを放出する。光源６３２は、カメラアセンブリ６３０に取り付けられるように図示されるが、光源６３２は、光源（例えば、下記に説明される光源５３０）によって放出される光が装着者の眼に指向されるように、カメラアセンブリに対して他のエリア内に配置されてもよいことを理解されたい。いくつかの実施形態では、カメラアセンブリ６３０は、フレーム８０（図２）に取り付けられてもよく、本明細書に議論されるように、カメラアセンブリ６３０からの画像情報を処理し、例えば、ユーザの生理学的状態、装着者の視線方向、虹彩識別等に関する種々の決定を行い得る、処理モジュール１４０または１５０と電気通信してもよい。ユーザの生理学的状態に関する情報は、ユーザの挙動または感情状態を決定するために使用されてもよいことを理解されたい。そのような情報の実施例は、ユーザの移動またはユーザの顔の表情を含む。ユーザの挙動または感情状態は、次いで、挙動または感情状態と、生理学的状態と、環境または仮想コンテンツデータとの間の関係を決定するように、収集された環境または仮想コンテンツデータを用いて三角測量されてもよい。いくつかの実施形態では、１つのカメラアセンブリ６３０が、眼毎に利用され、各眼を別個に監視してもよい。
【００６３】
ここで図７を参照すると、導波管によって出力された出射ビームの実施例が、示される。１つの導波管が図示されるが、導波管アセンブリ２６０（図６）内の他の導波管も同様に機能し得、導波管アセンブリ２６０は、複数の導波管を含むことを理解されたい。光６４０が、導波管２７０の入力表面４６０において導波管２７０の中に投入され、ＴＩＲによって導波管２７０内を伝搬する。光６４０がＤＯＥ５７０上に衝突する点では、光の一部は、導波管から出射ビーム６５０として出射する。出射ビーム６５０は、略平行として図示されるが、本明細書に議論されるように、また、導波管２７０と関連付けられた深度平面に応じて、ある角度（例えば、発散出射ビーム形成）において眼２１０に伝搬するように再指向されてもよい。略平行出射ビームは、眼２１０からの遠距離（例えば、光学無限遠）における深度平面に設定されるように現れる画像を形成するように光を外部結合する、外部結合光学要素を伴う導波管を示し得る。他の導波管または他の外部結合光学要素のセットは、より発散する、出射ビームパターンを出力してもよく、これは、眼２１０がより近い距離に遠近調節し、網膜に合焦させることを要求し、光学無限遠より眼２１０に近い距離からの光として脳によって解釈されるであろう。
【００６４】
いくつかの実施形態では、フルカラー画像が、原色、例えば、３つ以上の原色のそれぞれに画像をオーバーレイすることによって、各深度平面において形成されてもよい。図８は、スタックされた導波管アセンブリの実施例を図示し、各深度平面は、複数の異なる原色を使用して形成される画像を含む。図示される実施形態は、深度平面２４０ａ−２４０ｆを示すが、より多いまたはより少ない深度もまた、検討される。各深度平面は、それと関連付けられた３つ以上の原色画像、すなわち、第１の色Ｇの第１の画像、第２の色Ｒの第２の画像、および第３の色Ｂの第３の画像を含む、３つ以上の原色画像を有してもよい。異なる深度平面は、文字Ｇ、Ｒ、およびＢに続くジオプタ（ｄｐｔ）に関する異なる数字によって図に示される。単なる実施例として、これらの文字のそれぞれに続く数字は、ジオプタ（１／ｍ）、すなわち、視認者からの深度平面の逆距離を示し、図中の各ボックスは、個々の原色画像を表す。いくつかの実施形態では、異なる波長の光の眼の集束における差異を考慮するために、異なる原色に関する深度平面の正確な場所は、変動してもよい。例えば、所与の深度平面に関する異なる原色画像は、ユーザからの異なる距離に対応する深度平面上に設置されてもよい。そのような配列は、視力およびユーザ快適性を増加させ得る、または色収差を減少させ得る。
【００６５】
いくつかの実施形態では、各原色の光は、単一専用導波管によって出力されてもよく、その結果、各深度平面は、それと関連付けられた複数の導波管を有してもよい。そのような実施形態では、文字Ｇ、Ｒ、またはＢを含む、図中の各ボックスは、個々の導波管を表すものと理解され得、３つの導波管は、深度平面毎に提供されてもよく、３つの原色画像が、深度平面毎に提供される。各深度平面と関連付けられた導波管は、本図面では、説明を容易にするために相互に隣接して示されるが、物理的デバイスでは、導波管は全て、レベル毎に１つの導波管を伴うスタックで配列されてもよいことを理解されたい。いくつかの他の実施形態では、複数の原色が、例えば、単一導波管のみが深度平面毎に提供され得るように、同一導波管によって出力されてもよい。
【００６６】
図８を継続して参照すると、いくつかの実施形態では、Ｇは、緑色であって、Ｒは、赤色であって、Ｂは、青色である。いくつかの他の実施形態では、マゼンタ色およびシアン色を含む、光の他の波長と関連付けられた他の色も、加えて使用されてもよい、または赤色、緑色、または青色のうちの１つ以上のものに取って代わってもよい。いくつかの実施形態では、特徴３２０、３３０、３４０、および３５０は、視認者の眼への周囲環境からの光を遮断または選択的に透過させるように構成される、能動または受動光学フィルタであってもよい。
【００６７】
本開示全体を通した所与の光の色の言及は、その所与の色として視認者によって知覚される、光の波長の範囲内の１つ以上の波長の光を包含するものと理解されると理解されたい。例えば、赤色の光は、約６２０〜７８０ｎｍの範囲内である１つ以上の波長の光を含んでもよく、緑色の光は、約４９２〜５７７ｎｍの範囲内である１つ以上の波長の光を含んでもよく、青色の光は、約４３５〜４９３ｎｍの範囲内である１つ以上の波長の光を含んでもよい。
【００６８】
いくつかの実施形態では、光源５３０（図６）は、視認者の視覚的知覚範囲外の１つ以上の波長、例えば、ＩＲまたは紫外線波長の光を放出するように構成されてもよい。ＩＲ光は、７００ｎｍ〜１０μｍの範囲内の波長を伴う光を含むことができる。いくつかの実施形態では、ＩＲ光は、７００ｎｍ〜１．５μｍの範囲内の波長を伴う近ＩＲ光を含むことができる。加えて、ディスプレイ２５０の導波管の内部結合、外部結合、および他の光再指向構造は、例えば、結像またはユーザ刺激用途のために、この光をディスプレイからユーザの眼２１０に向かって指向および放出するように構成されてもよい。
【００６９】
ここで図９Ａを参照すると、いくつかの実施形態では、導波管に衝突する光は、光を導波管の中に内部結合するために再指向される必要があり得る。内部結合光学要素が、光をその対応する導波管の中に再指向および内部結合するために使用されてもよい。図９Ａは、それぞれ、内部結合光学要素を含む、複数またはセット６６０のスタックされた導波管の実施例の断面側面図を図示する。導波管はそれぞれ、１つ以上の異なる波長または１つ以上の異なる波長範囲の光を出力するように構成されてもよい。スタック６６０は、スタック２６０（図６）に対応してもよく、スタック６６０の図示される導波管は、複数の導波管２７０、２８０、２９０、３００、３１０の一部に対応してもよいが、画像投入デバイス３６０、３７０、３８０、３９０、４００のうちの１つ以上のものからの光が、光が内部結合のために再指向されることを要求する位置から導波管の中に投入されることを理解されたい。
【００７０】
スタックされた導波管の図示されるセット６６０は、導波管６７０、６８０、および６９０を含む。各導波管は、関連付けられた内部結合光学要素（導波管上の光入力面積とも称され得る）を含み、例えば、内部結合光学要素７００は、導波管６７０の主要表面（例えば、上側主要表面）上に配置され、内部結合光学要素７１０は、導波管６８０の主要表面（例えば、上側主要表面）上に配置され、内部結合光学要素７２０は、導波管６９０の主要表面（例えば、上側主要表面）上に配置される。いくつかの実施形態では、内部結合光学要素７００、７１０、７２０のうちの１つ以上のものは、個別の導波管６７０、６８０、６９０の底部主要表面上に配置されてもよい（特に、１つ以上の内部結合光学要素は、反射性偏向光学要素である）。図示されるように、内部結合光学要素７００、７１０、７２０は、その個別の導波管６７０、６８０、６９０の上側主要表面（または次の下側導波管の上部）上に配置されてもよく、特に、それらの内部結合光学要素は、透過性偏向光学要素である。いくつかの実施形態では、内部結合光学要素７００、７１０、７２０は、個別の導波管６７０、６８０、６９０の本体内に配置されてもよい。いくつかの実施形態では、本明細書に議論されるように、内部結合光学要素７００、７１０、７２０は、他の光の波長を透過しながら、１つ以上の光の波長を選択的に再指向するような波長選択的である。その個別の導波管６７０、６８０、６９０の片側または角に図示されるが、内部結合光学要素７００、７１０、７２０は、いくつかの実施形態では、その個別の導波管６７０、６８０、６９０の他の面積内に配置されてもよいことを理解されたい。
【００７１】
図示されるように、内部結合光学要素７００、７１０、７２０は、相互から側方にオフセットされてもよい。いくつかの実施形態では、各内部結合光学要素は、光が別の内部結合光学要素を通して通過することなしに、その光を受光するようにオフセットされてもよい。例えば、各内部結合光学要素７００、７１０、７２０は、図６に示されるように、光を異なる画像投入デバイス３６０、３７０、３８０、３９０、および４００から受光するように構成されてもよく、光を内部結合光学要素７００、７１０、７２０の他のものから実質的に受光しないように、他の内部結合光学要素７００、７１０、７２０から分離されてもよい（例えば、側方に離間される）。
【００７２】
各導波管はまた、関連付けられた光分散要素を含み、例えば、光分散要素７３０は、導波管６７０の主要表面（例えば、上部主要表面）上に配置され、光分散要素７４０は、導波管６８０の主要表面（例えば、上部主要表面）上に配置され、光分散要素７５０は、導波管６９０の主要表面（例えば、上部主要表面）上に配置される。いくつかの他の実施形態では、光分散要素７３０、７４０、７５０は、それぞれ、関連付けられた導波管６７０、６８０、６９０の底部主要表面上に配置されてもよい。いくつかの他の実施形態では、光分散要素７３０、７４０、７５０は、それぞれ、関連付けられた導波管６７０、６８０、６９０の上部および底部両方の主要表面上に配置されてもよい、または光分散要素７３０、７４０、７５０は、それぞれ、異なる関連付けられた導波管６７０、６８０、６９０内の上部主要表面および底部主要表面の異なるもの上に配置されてもよい。
【００７３】
導波管６７０、６８０、６９０は、例えば、材料のガス、液体、および／または固体層によって離間および分離されてもよい。例えば、図示されるように、層７６０ａは、導波管６７０および６８０を分離してもよく、層７６０ｂは、導波管６８０および６９０を分離してもよい。いくつかの実施形態では、層７６０ａおよび７６０ｂは、低屈折率材料（すなわち、導波管６７０、６８０、６９０の直近のものを形成する材料より低い屈折率を有する材料）から形成される。好ましくは、層７６０ａ、７６０ｂを形成する材料の屈折率は、導波管６７０、６８０、６９０を形成する材料の屈折率と比較して０．０５以上または０．１０またはそれを下回る。有利には、より低い屈折率層７６０ａ、７６０ｂは、導波管６７０、６８０、６９０を通して光のＴＩＲ（例えば、各導波管の上部主要表面および底部主要表面の間のＴＩＲ）を促進する、クラッディング層として機能してもよい。いくつかの実施形態では、層７６０ａ、７６０ｂは、空気から形成される。図示されないが、導波管の図示されるセット６６０の上部および底部は、直近クラッディング層を含んでもよいことを理解されたい。
【００７４】
好ましくは、製造および他の考慮点を容易にするために、導波管６７０、６８０、６９０を形成する材料は、類似または同一であって、層７６０ａ、７６０ｂを形成する材料は、類似または同一である。いくつかの実施形態では、導波管６７０、６８０、６９０を形成する材料は、１つ以上の導波管間で異なってもよい、または層７６０ａ、７６０ｂを形成する材料は、依然として、前述の種々の屈折率関係を保持しながら、異なってもよい。
【００７５】
図９Ａを継続して参照すると、光線７７０、７８０、７９０が、導波管のセット６６０に入射する。光線７７０、７８０、７９０は、１つ以上の画像投入デバイス３６０、３７０、３８０、３９０、４００（図６）によって導波管６７０、６８０、６９０の中に投入されてもよいことを理解されたい。
【００７６】
いくつかの実施形態では、光線７７０、７８０、７９０は、異なる色に対応し得る、異なる性質、例えば、異なる波長または異なる波長範囲を有する。内部結合光学要素７００、７１０、７２０はそれぞれ、光がＴＩＲによって導波管６７０、６８０、６９０のうちの個別の１つを通して伝搬するように、入射光を偏向する。
【００７７】
例えば、内部結合光学要素７００は、第１の波長または波長範囲を有する、光線７７０を偏向させるように構成されてもよい。同様に、透過された光線７８０は、第２の波長または波長範囲の光を偏向させるように構成される、内部結合光学要素７１０に衝突し、それによって偏向される。同様に、光線７９０は、第３の波長または波長範囲の光を選択的に偏向させるように構成される、内部結合光学要素７２０によって偏向される。
【００７８】
図９Ａを継続して参照すると、偏向された光線７７０、７８０、７９０は、対応する導波管６７０、６８０、６９０を通して伝搬するように偏向される。すなわち、各導波管の内部結合光学要素７００、７１０、７２０は、光をその対応する導波管６７０、６８０、６９０の中に偏向させ、光を対応する導波管の中に内部結合する。光線７７０、７８０、７９０は、光をＴＩＲによって個別の導波管６７０、６８０、６９０を通して伝搬させる角度で偏向される。光線７７０、７８０、７９０は、導波管の対応する光分散要素７３０、７４０、７５０に衝突するまで、ＴＩＲによって個別の導波管６７０、６８０、６９０を通して伝搬する。
【００７９】
ここで図９Ｂを参照すると、図９Ａの複数のスタックされた導波管の実施例の斜視図が、図示される。前述のように、内部結合された光線７７０、７８０、７９０は、それぞれ、内部結合光学要素７００、７１０、７２０によって偏向され、次いで、それぞれ、導波管６７０、６８０、６９０内でＴＩＲによって伝搬する。光線７７０、７８０、７９０は、次いで、それぞれ、光分散要素７３０、７４０、７５０に衝突する。光分散要素７３０、７４０、７５０は、それぞれ、外部結合光学要素８００、８１０、８２０に向かって伝搬するように、光線７７０、７８０、７９０を偏向させる。
【００８０】
いくつかの実施形態では、光分散要素７３０、７４０、７５０は、直交瞳エクスパンダ（ＯＰＥ）である。いくつかの実施形態では、ＯＰＥは、光を外部結合光学要素８００、８１０、８２０に偏向または分散することと、また、外部結合光学要素に伝搬するにつれて、本光のビームまたはスポットサイズを増加させることの両方を行ってもよい。いくつかの実施形態では、例えば、ビームサイズがすでに所望のサイズである場合、光分散要素７３０、７４０、７５０は、省略されてもよく、内部結合光学要素７００、７１０、７２０は、光を直接外部結合光学要素８００、８１０、８２０に偏向させるように構成されてもよい。例えば、図９Ａを参照すると、光分散要素７３０、７４０、７５０は、いくつかの実施形態では、それぞれ、外部結合光学要素８００、８１０、８２０と置換されてもよい。いくつかの実施形態では、外部結合光学要素８００、８１０、８２０は、光を視認者の眼２１０（図７）に指向させる、射出瞳（ＥＰ）または射出瞳エクスパンダ（ＥＰＥ）である。ＯＰＥは、少なくとも１つの軸においてアイボックスの寸法を増加させるように構成されてもよく、ＥＰＥは、ＯＰＥの軸と交差する（例えば、直交する）軸においてアイボックスを増加させてもよいことを理解されたい。
【００８１】
故に、図９Ａおよび９Ｂを参照すると、いくつかの実施形態では、導波管のセット６６０は、原色毎に、導波管６７０、６８０、６９０と、内部結合光学要素７００、７１０、７２０と、光分散要素（例えば、ＯＰＥ）７３０、７４０、７５０と、外部結合光学要素（例えば、ＥＰ）８００、８１０、８２０とを含む。導波管６７０、６８０、６９０は、各１つの間に空隙／クラッディング層を伴ってスタックされてもよい。内部結合光学要素７００、７１０、７２０は、（異なる波長の光を受信する異なる内部結合光学要素を用いて）入射光をその導波管の中に再指向または偏向させる。光は、次いで、個別の導波管６７０、６８０、６９０内にＴＩＲをもたらすであろう角度で伝搬する。示される実施例では、光線７７０（例えば、青色の光）は、前述の様式において、第１の内部結合光学要素７００によって偏光され、次いで、導波管を辿ってバウンスし続け、光分散要素（例えば、ＯＰＥ）７３０、次いで、外部結合光学要素（例えば、ＥＰ）８００と相互作用する。光線７８０および７９０（例えば、それぞれ、緑色および赤色の光）は、導波管６７０を通して通過し、光線７８０は、内部結合光学要素７１０上に衝突し、それによって偏向される。光線７８０は、次いで、ＴＩＲを介して、導波管６８０を辿ってバウンスし、その光分散要素（例えば、ＯＰＥ）７４０、次いで、外部結合光学要素（例えば、ＥＰ）８１０に進むであろう。最後に、光線７９０（例えば、赤色の光）は、導波管６９０を通して通過し、導波管６９０の内部結合光学要素７２０に衝突する。光内部結合光学要素７２０は、光線が、ＴＩＲによって、光分散要素（例えば、ＯＰＥ）７５０、次いで、ＴＩＲによって、外部結合光学要素（例えば、ＥＰ）８２０に伝搬するように、光線７９０を偏向させる。外部結合光学要素８２０は、次いで、最後に、光線７９０を視認者に外部結合し、視認者はまた、他の導波管６７０、６８０からの外部結合された光も受光する。
【００８２】
図９Ｃは、図９Ａおよび９Ｂの複数のスタックされた導波管の実施例の上下平面図を図示する。図示されるように、導波管６７０、６８０、６９０は、各導波管の関連付けられた光分散要素７３０、７４０、７５０および関連付けられた外部結合光学要素８００、８１０、８２０とともに、垂直に整合されてもよい。しかしながら、本明細書に議論されるように、内部結合光学要素７００、７１０、７２０は、垂直に整合されない。むしろ、内部結合光学要素は、好ましくは、非重複する（例えば、上下図に見られるように、側方に離間される）。本明細書でさらに議論されるように、本非重複空間配列は、１対１ベースで異なるリソースから異なる導波管の中への光の投入を促進し、それによって、具体的光源が具体的導波管に一意に結合されることを可能にする。いくつかの実施形態では、非重複の空間的に分離される内部結合光学要素を含む、配列は、偏移瞳システムと称され得、これらの配列内の内部結合光学要素は、サブ瞳に対応し得る。
軸外結像のための例示的結像システム
【００８３】
上記に説明されるように、ＨＭＤ（例えば、図２に示されるウェアラブルディスプレイシステム２００）の装着者の眼または眼の周囲の組織は、眼からの光を基板を通してカメラアセンブリの中に指向する、複数の結合光学要素を使用して、結像されることができる。結果として生じる画像は、片眼または両眼を追跡する、網膜を結像する、眼形状を３次元で再構築する、バイオメトリック情報を眼から抽出する（例えば、虹彩識別）等のために使用されることができる。
【００８４】
上記に概略されたように、ＨＭＤが装着者の眼の状態についての情報を使用し得る、種々の理由が存在する。例えば、本情報は、装着者の視線方向の推定またはバイオメトリック識別のために使用されることができる。しかしながら、本問題は、ＨＭＤと装着者の眼との間の距離が短いため、困難である。視線追跡は、より大きい視野を要求する一方、バイオメトリック識別は、比較的に高ピクセル数を虹彩上の標的上に要求するという事実によって、さらに複雑になる。これらの目的の両方を遂行するように試みるであろう、結像システムに関して、２つのタスクの要件は、主として、競合する。最後に、両問題は、眼瞼および睫毛によるオクルージョンによってさらに複雑になる。本明細書に説明される結像システムの実施形態は、これらの問題のうちの少なくともいくつかに対処し得る。
【００８５】
図１０Ａおよび１０Ｂは、装着者９０の片眼または両眼２１０、２２０を結像するように構成される、結像システム１０００ａの実施例を図式的に図示する。結像システム１０００ａは、基板１０７０と、眼２２０を視認するように配列される、カメラアセンブリ１０３０とを備える。図１０Ａおよび１０Ｂを参照して本明細書に説明される結像システム１０００ａの実施形態は、本明細書に説明されるディスプレイデバイス（例えば、図２に示されるウェアラブルディスプレイシステム２００、図６および７に示されるディスプレイシステム２５０、および図９Ａ−９Ｃのスタック６６０）を含む、ＨＭＤと併用されることができる。例えば、結像システム１０００ａが図６のディスプレイシステム２５０の一部である、いくつかの実装では、基板１０７０は、導波管２７０、２８０、２９０、３００、または３１０のうちの１つに取って代わってもよい、導波管スタック２６０と眼２１０との間に配置されてもよい、または導波管スタック２６０と世界５１０との間に配置されてもよい。
【００８６】
いくつかの実施形態では、カメラアセンブリ１０３０は、装着者の眼に近接して、例えば、図２のウェアラブルディスプレイシステム６０のフレーム８０（例えば、装着者のこめかみの近傍の耳掛け部８２）上、図２のディスプレイ７０の縁の周囲（図１０Ｂに示されるように）に搭載される、または図２のディスプレイ７０に内蔵されてもよい。カメラアセンブリ１０３０は、図６のカメラアセンブリ６３０に実質的に類似してもよい。他の実施形態では、第２のカメラアセンブリが、装着者の他方の眼２１０を別個に結像するために使用されることができる。カメラアセンブリ１０３０は、ＩＲ放射に敏感なＩＲデジタルカメラを含むことができる。カメラアセンブリ１０３０は、図１０Ａに図示されるように、前方に面しているように（例えば、装着者の視覚に向かう方向に）、搭載されることができる、またはカメラアセンブリ１０３０は、後方に面し、眼２２０に指向されるように搭載されることができる（例えば、図１０Ｂ）。
【００８７】
いくつかの実施形態では、カメラアセンブリ１０３０は、画像捕捉デバイスと、次いで、眼２２０によって反射され、カメラアセンブリ１０３０によって検出され得る、光を眼２２０に投影する、光源１０３２とを含んでもよい。光源１０３２は、カメラアセンブリ１０３０に取り付けられるように図示されるが、光源１０３２は、光源によって放出される光が、装着者の眼に指向され、カメラアセンブリ１０３０に反射されるように、カメラアセンブリに対して他のエリア内に配置されてもよい。例えば、結像システム１０００ａが、ディスプレイシステム２５０（図６）の一部であって、基板１０７０が、導波管２７０、２８０、２９０、３００、または３１０のうちの１つに取って代わる場合、光源１０３２は、光エミッタ３６０、３７０、３８０、３９０、または光源５３０のうちの１つであってもよい。
【００８８】
図１０Ａに図示される実施形態では、カメラアセンブリ１０３０は、基板１０７０の近位表面１０７４を視認するように位置付けられる。基板１０７０は、例えば、図２のディスプレイ７０の一部または一対の眼鏡内のレンズであることができる。基板１０７０は、基板１０７０上に入射する可視光の少なくとも１０％、２０％、３０％、４０％、５０％、またはそれよりも多くのものに対して透過性であることができる。他の実施形態では、基板１０７０は、透明である必要はない（例えば、仮想現実ディスプレイにおいて）。基板１０７０は、１つ以上の結合光学要素１０７８を備えることができる。いくつかの実施形態では、結合光学要素１０７８は、第１の波長の範囲を反射させる一方、第１の波長の範囲と異なる第２の波長の範囲に対して実質的に透過性であるように選択されてもよい。いくつかの実施形態では、第１の波長の範囲は、ＩＲ波長であることができ、第２の波長の範囲は、可視波長であることができる。基板１０７０は、ポリカーボネートまたは所望の光学性質を有する他の軽量材料等のポリマーまたはプラスチック材料を含んでもよい。特定の科学理論に賛同するわけではないが、プラスチック材料は、あまり剛性ではなく、したがって、使用の間、破損または欠陥を被りにくくあり得る。プラスチック材料はまた、軽量であり得、したがって、プラスチック材料の剛性と組み合わせられると、より薄い基板を可能にし、コンパクトかつ軽量の結像システムの製造を促進し得る。基板１０７０は、ポリカーボネートまたは所望の光学性質を有する他のプラスチック等のポリマーを含むように説明されるが、所望の光学性質を有するガラス、例えば、溶融シリカ等の他の材料も、可能性として考えられる。
【００８９】
結合光学要素１０７８は、第１の波長の範囲の光（例えば、ＩＲ光）を反射または再指向する一方、第２の波長の範囲の光（例えば、可視光）を透過させるように構成される、反射光学要素を備えることができる。そのような実施形態では、眼２２０からのＩＲ光１０１０ａ、１０１２ａ、および１０１４ａは、結合光学要素１０７８に伝搬し、そこから反射し、反射されたＩＲ光１０１０ｂ、１０１２ｂ、１０１４ｂをもたらし、これは、カメラアセンブリ１０３０によって結像されることができる。いくつかの実施形態では、カメラアセンブリ１０３０は、結合光学要素１０７８によって反射された第１の波長の範囲の少なくともサブセット（非空サブセットまたは全部未満のサブセット等）に敏感である、またはそれを捕捉することが可能であり得る。例えば、結合光学要素１０７８が、反射要素である場合、結合光学要素１０７８は、７００ｎｍ〜１．５μｍの範囲内のＩＲ光を反射させ得、カメラアセンブリ１０３０は、７００ｎｍ〜９００ｎｍの波長における近ＩＲ光に敏感である、またはそれを捕捉することが可能であり得る。別の実施例として、結合光学要素１０７８は、７００ｎｍ〜１．５μｍの範囲内のＩＲ光を反射させ得、カメラアセンブリ１０３０は、カメラアセンブリ１０３０が７００ｎｍ〜９００ｎｍの波長における近ＩＲ光を捕捉し得るように、９００ｎｍ〜１．５μｍの範囲内のＩＲ光をフィルタリング除去する、フィルタを含んでもよい。
【００９０】
外界（例えば、図６の世界５１０）からの可視光は、基板１０７０を通して透過され、装着者によって知覚されることができる。事実上、結像システム１０００ａは、装着者の眼２２０に向かって逆指向され、眼２２０の直接視認画像を捕捉する、仮想カメラアセンブリ１０３０ｃが存在するかのように作用することができる。仮想カメラアセンブリ１０３０ｃは、装着者の眼２２０から基板１０７０を通して伝搬される、仮想ＩＲ光１０１０ｃ、１０１２ｃ、および１０１４ｃ（点線として示される）を結像し得るため、「ｃ」を参照して標識される。結合光学要素１０７８は、基板１０７０の近位表面１０７４上に配置されるように図示されるが、他の構成も、可能性として考えられる。例えば、結合光学要素１０７８は、基板１０６０の遠位表面１０７６上または基板１０７０内に配置されることができる。基板１０７０が図６のディスプレイシステム２５０の一部である、実装では、結合光学要素１０７８は、外部結合光学要素５７０、５８０、５９０、６００、または６１０であってもよい。
【００９１】
結像システム１０００ａの例示的配列が、図１０Ａに示されるが、他の配列も、可能性として考えられる。例えば、複数の結合光学要素が、使用され、例えば、図１１−１８に関連して説明されるであろうように、ＴＩＲを介して、光を基板１０７０の中に内部結合し、光をカメラアセンブリ１０３０に外部結合するように構成されてもよい。結合光学要素１０７８は、反射光学要素として説明されるが、他の構成も、可能性として考えられる。例えば、結合光学要素１０７８は、第１および第２の波長の範囲を実質的に透過させる、透過性結合光学要素であってもよい。透過性結合光学要素は、第１の波長をある角度で屈折させ、例えば、ＴＩＲを基板１０７０内に誘発する一方、第２の波長の範囲が実質的に妨害されずに通過することを可能にし得る。
複数の結合光学要素を使用した軸外結像のための例示的結像システム
【００９２】
図１１は、オブジェクトからの光を基板１０７０を通して全内部反射させ、オブジェクトをカメラアセンブリ１０３０において結像するための複数の結合光学要素を備える、別の例示的結像システム１０００ｂを図式的に図示する。図１１は、基板１０７０の１つ以上の表面上に配置される、少なくとも２つの結合光学要素１１７８ａ、１１８８ａを備える、基板１０７０と、オブジェクト平面１１２０に位置付けられるオブジェクトを視認するように配列される、カメラアセンブリ１０３０とを備える、結像システム１０００ｂの実施形態を図示する。具体的配列が、図１１に描写されるが、これは、例証的目的のためだけのものであって、限定することを意図するものではない。他の光学要素（例えば、レンズ、導波管、偏光器、プリズム等）も、具体的用途のために、所望に応じて、光を合焦させる、収差を補正する、指向する等のように、オブジェクトからの光を操作するために使用されてもよい。
【００９３】
図１１の実施形態では、基板１０７０は、２つの結合光学要素１１７８ａ、１１８８ａを含み、それぞれが、それぞれ、基板１０７０の遠位表面および近位表面１０７６、１０７４に隣接して配置される。いくつかの実施形態では、結合光学要素１１７８ａ、１１８８ａは、基板１０７０の表面に取り付けられる、または固定されてもよい。他の実施形態では、結合光学要素１１７８ａ、１１８８ａのうちの１つ以上のものは、基板１０７０に内蔵される、または基板１０７０の表面上にエッチングされてもよい。さらに他の実施形態では、単独で、または組み合わせて、基板１０７０は、基板１０７０自体の一部として結合光学要素１１７８ａ、１１８８ａを備える、領域を有するように製造されてもよい。結合光学要素１１７８ａ、１１８８ａの例示的配列が、図１１に示されるが、他の構成も、可能性として考えられる。例えば、結合光学要素１１７８ａ、１１８８ａは両方とも、遠位表面１０７６または近位表面１０７４に隣接して位置付けられてもよい（図１２Ａ、１３Ａ、１３Ｂ、および１４Ｂに図示されるように）、または結合光学要素１１７８ａは、近位表面１０７４上に位置付けられる一方、結合光学要素１１８８ａは、遠位表面１０７６上に位置付けられてもよい（図１４Ａに図示されるように）。
【００９４】
結合光学要素１１７８ａおよび１１８８ａは、図１０Ａおよび１０Ｂの結合光学要素１０７８に類似してもよい。例えば、図１１は、結像システム１０００ｂを図示し、両結合光学要素１１７８ａ、１１８８ａは、図１０Ａに関連して上記に説明されるように、１つ以上の波長の光を選択的に再指向する一方、他の波長の光を透過させるように、波長選択的である、反射結合光学要素である。いくつかの実施形態では、結合光学要素１１７８ａおよび１１８８ａは、第１の波長範囲の光（例えば、ＩＲ光、近ＩＲ光等）を偏向させる一方、第２の波長範囲（例えば、可視光）を透過させる。下記に説明されるように、結合光学要素１１７８ａ、１１８８ａは、回折パターンを形成する回折特徴（例えば、ＤＯＥ）を備えてもよい。
【００９５】
図１１を参照すると、カメラアセンブリ１０３０は、オブジェクト平面１１２０に向かって後方に面し、遠位表面１０７６を視認するように搭載される。種々の実施形態では、カメラアセンブリ１０３０は、装着者の眼に近接して（例えば、図２のフレーム８０上に）搭載されてもよく、光源１０３２（図１１には図示せず）を含んでもよい。カメラアセンブリ１０３０は、ＩＲ放射に敏感なＩＲデジタルカメラを含むことができる。図１１のカメラアセンブリ１０３０は、後方に面するように示されるが、他の配列も、可能性として考えられる。例えば、カメラアセンブリ１０３０は、前方に面するように搭載されることができる。
【００９６】
いくつかの実施形態では、オブジェクト平面１１２０におけるオブジェクト（例えば、眼２２０またはその一部）は、光源１０３２（図１０Ａおよび１０Ｂ）によって照明されてもよい。例えば、瞳孔が、結像されることになる場合、光源１０３２は、そこに指向され、眼２２０の瞳孔を照明する。他の実施形態では、角膜の前方表面からの点源の反射によって形成される、仮想画像である、第１のプルキンエ画像が、結像されてもよい。一意に識別され得、眼位置、瞳孔位置、または視線方向を示すであろう、眼と関連付けられた任意の物理的または光学オブジェクトが、結像され得る。照明に応じて、オブジェクトは、光線１１２２ａ−ｅ（集合的に、以降、「１１２２」と称される）として、光を基板１０７０に向かって反射させ得る。例えば、光線１１２２ａ−ｅは、瞳孔、虹彩、眼瞼、強膜、眼の周囲の他の組織等から反射された光の拡散の例証であり得る。別の実施例では、光線１１２２ａ−ｅは、閃光から鏡面反射された光の例証であり得る（例えば、プルキンエ画像）。科学理論に賛同するわけではないが、眼、眼の一部、または眼の周囲の組織からの反射は、照明の配向に応じて、入射光の偏光を回転させ得る。いくつかの実施形態では、光源１０３２（図１０Ａおよび１０Ｂ）は、偏光器が光学経路内に実装されない限り、具体的偏光を有していない、ＬＥＤ光源であり得、これは、例えば、５０％も光の強度を低減させ得る。光線１１２２のみが、図１１に示されるが、これは、例証的目的のためだけのものであって、任意の数の反射された光線も、可能性として考えられる。光線１１２２はそれぞれ、オブジェクトから同一または異なる角度で反射され得る。例えば、図１１は、光線１１２２ａが、光線１１２２ｅがオブジェクトから反射される角度より大きくあり得る、第１の角度で反射されることを図示する。他の構成も、可能性として考えられる。
【００９７】
上記の説明は、オブジェクトから反射された光線１１２２を参照するが、他の構成も、可能性として考えられる。いくつかの実施形態では、光線１１２２は、源１０３２（図１０Ａおよび１０Ｂ）からの光を反射させる代わりに、オブジェクト平面１１２０に位置する光源によって放出される。したがって、光線１１２２は、基板１０７０に向かって指向され得る。光線１１２２は、オブジェクト平面１１２０から反射される、またはそれによって放出される光の全部または一部であってもよいことを理解されたい。
【００９８】
図１１に図示されるように、オブジェクト平面１１２０からの発出に応じて、光線１１２２は、入射点における近位表面１０７４と垂直な想像上の軸に対するある入射角で基板の近位表面１０７４上に入射する。光線１１２２は、次いで、基板１０７０に入射し、部分的に、近位表面１０７４における入射角および基板１０７０と近位表面１０７４に直接隣接する媒体の屈折率の比率に基づいて、屈折される。
【００９９】
光線１１２２は、進行し、入射点における遠位表面１０７６と垂直な想像上の軸に対するある入射角で結合光学要素１１７８ａ上に衝突する。光線１１２２は、基板１０７０を通して伝搬するように、結合光学要素１１７８ａによって偏向される。すなわち、結合光学要素１１７８ａは、光を基板１０７０の中に反射させる、反射内部結合光学要素として機能する。光線１１２２は、内部結合された光線１１２２が、全内部反射によって、基板を通して結合光学要素１１８８ａに向かって側方方向に伝搬するような角度で反射される。任意の科学理論に賛同するわけではないが、全内部反射条件は、入射光と垂直軸との間の回折角度θが基板１０７０の臨界角θＣを上回るとき、満たされることができる。いくつかの状況下では、全内部反射条件は、以下のように表され得る。
ｓｉｎ（θＣ）＝ｎｏ／ｎｓ      ［１］
式中、ｎｓは、基板１０７０の屈折率であって、ｎｏは、表面基板１０７０に隣接する媒体の屈折率である。種々の実施形態によると、ｎｓは、約１〜約２、約１．４〜約１．８、約１．５〜約１．７、または他の好適な範囲であってもよい。例えば、基板１０７０は、ポリカーボネート等のポリマーまたはガラス（例えば、溶融シリカ等）を含んでもよい。いくつかの実施形態では、基板１０７０は、近位表面１０７４から遠位表面１０７６まで、１〜２ミリメートル厚であってもよい。例えば、基板１０７０は、溶融シリカの２ミリメートル厚部分またはポリカーボネートの１ミリメートル厚部分であってもよい。所望の動作および画質をカメラアセンブリ１０３０において達成するための他の構成も、可能性として考えられる。
【０１００】
いくつかの実施形態では、基板１０７０は、高屈折率材料（例えば、基板１０７０に直接隣接する媒体より高い屈折率を有する、材料）から形成されてもよい。例えば、基板１０７０に直接隣接する材料の屈折率は、０．０５またはそれを上回って、または０．１０またはそれを上回って、基板屈折率を下回り得る。特定の科学理論に賛同するわけではないが、より低い屈折率媒体は、基板１０７０を通した光のＴＩＲを促進する（例えば、基板１０７０の近位表面および遠位表面１０７４、１０７６の間でＴＩＲする）ように機能し得る。いくつかの実施形態では、直接隣接する媒体は、約１の屈折率ｎｏを伴う空気を含む。臨界角は、基板材料および囲繞する媒体に応じて、２０度〜５０度の範囲内であることができる。他の実施形態では、単独で、または組み合わせて、直接隣接する媒体は、他の構造および層を備えてもよく、例えば、図６および９Ａ−９Ｃに関連して説明される層のうちの１つ以上のものが、基板１０７０の近位表面または遠位表面１０７４、１０７６のいずれかに直接隣接してもよい。
【０１０１】
光は、次いで、基板１０７０を通して、基板１０７０の表面と略平行方向に、結合光学要素１１８８ａに向かって伝搬する。概して、「〜に向かって」は、光線１１２２が、基板１０７０の表面間で反射され、したがって、基板１０７０と正確に平行ではない場合もあるが、全体的進行方向が、基板の表面と略平行である、方向に進行する、状態を指し得る。光線１１２２は、結合光学要素１１８８ａ上に衝突するまで、ＴＩＲによって、基板１０７０を通して伝搬する。結合光学要素１１８８ａに到達することに応じて、光線１１２２は、基板１０７０から外に伝搬するように偏向される。すなわち、結合光学要素１１８８ａは、光を基板１０７０から外に反射させる、反射外部結合光学要素として機能する。光線１１２０は、ＴＩＲ条件がもはや満たされない（例えば、回折角度θが臨界角θＣ未満である）ような角度で反射される。結合光学要素１１８８ａはまた、光線１１２２をある角度でカメラアセンブリ１０３０に向かって反射させてもよい。例えば、光線１１２２は、基板１０７０から出射するように、ある角度で反射され、遠位表面１０７６における界面によって屈折され、カメラアセンブリ１０３０に伝搬してもよい。カメラアセンブリ１０３０は、次いで、光線１１２２を受光し、それに基づいて、オブジェクト平面１１２０を結像する。
【０１０２】
図１１は、光が、全内部反射の２つのインスタンスを伴って、結合光学要素１１７８ａから結合光学要素１１８８ａに進行する、構成を図示するが、他の構成も、可能性として考えられる。例えば、光線１１２２は、光線１１２２が基板１０７０を通してカメラアセンブリ１０３０に向かって進行するように、任意の回数（例えば、１、２、３、４、５、６、７等）全内部反射されてもよい。カメラアセンブリ１０３０は、したがって、任意の場所に位置付けられ、オブジェクトからある距離において、直接視認画像を捕捉するように構成されてもよい。科学理論に賛同するわけではないが、ＴＩＲは、高度に効率的であって、実質的に損失のない反射を含み得、したがって、光線１１２２がＴＩＲする回数は、カメラの所望の位置に基づいて選択されてもよい。しかしながら、いくつかの実施形態では、ある程度の漏出が、最小限であるが、基板１０７０内の各反射時に生じ得る。したがって、基板１０７０内の反射の回数を最小限にすることは、光の漏出を低減させ、画像捕捉性能を改良し得る。さらに、科学理論に賛同するわけではないが、反射の回数を低減させることは、基板１０７０の不純度または非均一表面に起因する画像ぼけまたは明度低下を低減させることによって、画質を改良し得る（例えば、より少ない反射は、より明るいより強度のある画像を生成し得る）。したがって、説明される結像システムおよびそのコンポーネントの設計は、ＴＩＲイベントの数を最小限にし、カメラアセンブリ１０３０を所望に応じて位置付けるように、これらの考慮点を念頭において最適化され得る。
【０１０３】
基板１０７０の中への光の効率的内部および外部結合は、例えば、仮想／拡張／複合現実ディスプレイ用途のために、導波管ベースのシースルーディスプレイを設計する際の課題であり得る。これらおよび他の用途に関して、その構造が、回折性質を含む、種々の光学性質を最適化するように構成可能な材料から形成される、回折格子を含むことが望ましくあり得る。望ましい回折性質は、他の性質の中でもとりわけ、偏光選択性、スペクトル選択性、角度選択性、高スペクトル帯域幅、および高回折効率を含んでもよい。これらおよび他の必要性に対処するために、本明細書に開示される種々の実施形態では、結合光学要素１１７８ａ、１１８８ａは、ＤＯＥまたは回折格子等の回折パターンを形成する、回折特徴を備えてもよい。
【０１０４】
概して、回折格子は、周期的構造を有し、これは、光を異なる方向に進行するいくつかのビームに分割および回折する。ビームの方向は、とりわけ、周期的構造の周期および光の波長に依存する。周期は、部分的に、回折特徴の格子空間周波数に基づき得る。ある光学性質、例えば、回折効率を最適化し、潜在的レインボー効果を低減させるために、基板１０７０からの光を内部および外部結合する等のある用途に関して、ＤＯＥの種々の材料性質は、所与の波長に関して最適化されることができる。例えば、ＩＲ光が使用される場合、ＤＯＥ１１７８ａ、１１８８ａの空間周波数は、ミリメートルあたり６００〜２０００ラインであり得る。一実施形態では、空間周波数は、ミリメートルあたり約１０１３ラインであってもよい（例えば、図１２Ａおよび１３Ａ）。一実施形態では、図１１の例示的ＤＯＥ１１７８ａは、ミリメートルあたり１０１３．９５ラインを有してもよい。別の実施形態では、空間周波数は、図１５に関連して説明されるように、ミリメートルあたり約１４００ラインである。したがって、結合光学要素１１７８ａ、１１８８ａの空間周波数は、本明細書に説明される結像システムを最適化するときの少なくとも１つの考慮点であり得る。例えば、空間周波数は、ＴＩＲ条件を支援するように選択されてもよい。別の実施例として、単独で、または組み合わせて、空間周波数は、結像システムのコンポーネントの構成および寸法に応じて、最小アーチファクト（例えば、図１２Ｂに説明されるような残影または重複画像）を伴って、光スループットを最大限にするように選択されてもよい。いくつかの実施形態では、回折特徴は、任意の構成を有してもよい。しかしながら、第１の結合光学要素１１７８ａは、第１の結合光学要素１１７８ａがユーザの視野内に位置付けられ得るため、最小限のアーチファクトを有するかまたは視覚的アーチファクトが無い（例えば、レインボー効果）ように最適化されてもよい。
【０１０５】
いくつかの実装では、ＤＯＥは、軸外ＤＯＥ、軸外ホログラフィック光学要素（ＨＯＥ）、軸外ホログラフィックミラー（ＯＡＨＭ）、または軸外立体回折光学要素（ＯＡＶＤＯＥ）であってもよい。いくつかの実施形態では、ＯＡＨＭは、同様に、屈折力を有してもよく、その場合、軸外立体回折光学要素（ＯＡＶＤＯＥ）であることができる。いくつかの実施形態では、結合光学要素１１７８ａ、１１８８ａのうちの１つ以上のものは、軸外コレステリック液晶回折格子（ＯＡＣＬＣＧ）であってもよく、これは、とりわけ、偏光選択性、帯域幅、位相プロファイル、回折性質の空間変動、スペクトル選択性、および高回折効率を最適化するように構成されることができる。例えば、２０１７年１２月７日に出願され、「Ｄｉｆｆｒａｃｔｉｖｅ  Ｄｅｖｉｃｅｓ  Ｂａｓｅｄ  Ｏｎ  Ｃｈｏｌｅｓｔｅｒｉｃ  Ｌｉｑｕｉｄ  Ｃｒｙｓｔａｌ」と題された米国特許出願第１５／８３５，１０８号（それが開示する全てに関して、参照することによってその全体として本明細書に組み込まれる）に説明される、ＣＬＣまたはＣＬＣＧのいずれかは、本明細書に説明されるように、結合光学要素として実装されることができる。いくつかの実施形態では、１つ以上の結合光学要素１１７８ａ、１１８８ａは、能動的に回折する、「オン」状態と、有意に回折しない、「オフ」状態との間で切り替えられ得る、切替可能なＤＯＥであってもよい。
【０１０６】
いくつかの実施形態では、結合光学要素１１７８ａ、１１８８ａのうちの１つ以上のものは、任意の反射または透過性液晶格子であってもよい。上記に説明されるＣＬＣまたはＣＬＣＧは、液晶格子の一実施例であり得る。他の液晶格子はまた、可視光の波長未満のサイズを有し、パンチャラトナムベリー位相効果（ＰＢＰＥ）構造、メタ表面、またはメタ材料と称されるものを備え得る、液晶特徴および／またはパターンを含んでもよい。例えば、「Ｄｉｓｐｌａｙ  Ｓｙｓｔｅｍ  Ｗｉｔｈ  Ｏｐｔｉｃａｌ  Ｅｌｅｍｅｎｔｓ  Ｆｏｒ  Ｉｎ−Ｃｏｕｐｌｉｎｇ  Ｍｕｌｔｉｐｌｅｘｅｄ  Ｌｉｇｈｔ  Ｓｔｒｅａｍｓ」と題された米国特許公開第２０１７／００１０４６６号、２０１８年１月２４日に出願され、「Ａｎｔｉｒｅｆｌｅｃｔｉｏｎ  Ｃｏａｔｉｎｇｓ  Ｆｏｒ  Ｍｅｔａｓｕｒｆａｃｅｓ」と題された米国特許出願第１５／８７９，００５号、または２０１７年１２月１３日に出願され、「Ｐａｔｔｅｒｎｉｎｇ  Ｏｆ  Ｌｉｑｕｉｄ  Ｃｒｙｓｔａｌｓ  Ｕｓｉｎｇ  Ｓｏｆｔ−Ｉｍｐｒｉｎｔ  Ｒｅｐｌｉｃａｔｉｏｎ  Ｏｆ  Ｓｕｒｆａｃｅ  Ａｌｉｇｎｍｅｎｔ  Ｐａｔｔｅｒｎｓ」と題された米国特許出願第１５／８４１，０３７号（それぞれ、それが開示する全てに関して、参照することによってその全体として本明細書に組み込まれる）に説明されるＰＢＰＥ構造、メタ表面、またはメタ材料のいずれかが、本明細書に説明されるように、結合光学要素として実装されることができる。そのような構造は、ビーム操向、波面成形、波長の分離、および／または偏光等、光を操作するために構成されてもよく、異なる波長および／または偏光を組み合わせることは、別様に、メタ材料液晶格子またはＰＢＰＥ構造を伴う液晶格子と称される、メタ表面を伴う液晶格子を含むことができる。ＰＢＰＥ構造を伴う液晶格子は、高回折効率および液晶格子の入射角に対する低感度とＰＢＰＥ構造の高波長感度を組み合わせることができる。
【０１０７】
いくつかの実施形態では、あるＤＯＥは、本明細書に説明されるように、結合光学要素として利用されるとき、非限定的利点を提供し得る。例えば、科学理論に賛同するわけではないが、液晶格子、ＣＬＣ、ＣＬＣＧ、体積位相格子、およびメタ表面格子は、上記および本明細書に説明されるレインボー効果等の視覚的アーチファクトの表出を低減または排除するように構成される、光学性質を備え得る。いくつかの実施形態では、これらのＤＯＥを採用するとき、ＤＯＥを偏光で照明し（例えば、光線１１２２は、所望の偏光を含んでもよい）、基板１０７０の中への光のスループットを最大限にすることが望ましくあり得る。しかしながら、上記に説明されるように、眼は、配向に応じて、入射の偏光を回転させ得、したがって、いくつかの実施形態では、光源１０３０は、非偏光を放出し得る。反射された光線１１２２はまた、偏光され得ず、したがって、光の一部は、ＤＯＥの偏光性質に起因して、スループットされ得ない（例えば、光線１１２２の最大５０％が、結合光学要素１１７８ａにおいて喪失され得る）。いくつかの実施形態では、スループットを改良するために、二重層ＤＯＥが、結合光学要素１１７８ａとして使用されてもよい。例えば、第１のＤＯＥ層は、１つの偏光状態において動作するように構成され、第２のＤＯＥ層は、第２の偏光状態において動作するように構成される。
【０１０８】
いくつかの実施形態に関して、光線１１２２の多くは、基板１０７０の中に内部結合され、カメラアセンブリに向かって外部結合されるように、十分に高回折効率を有する、ＤＯＥを使用することが望ましくあり得る。科学理論に賛同するわけではないが、比較的に高回折効率は、結合光学要素１１７８ａにおいて受光された光の実質的に全てをカメラアセンブリ１０３０に指向し、それによって、画質および正確度を改良することを可能にし得る。いくつかの実施形態では、回折効率は、部分的に、カメラアセンブリ１０３０の感度に基づき得る（例えば、より高い感度は、より低い回折効率を可能にし得る）。種々の実施形態では、ＤＯＥは、第１の波長の範囲（例えば、ＩＲ光）に対する高回折効率および第２の波長の範囲（例えば、可視光）内における低回折効率を有するように選択されてもよい。科学理論に賛同するわけではないが、可視光に対する低回折効率は、ユーザの視認経路内のレインボー効果を低減させ得る。
【０１０９】
いくつかの用途では、ＤＯＥは、ユーザが可視光を回折特徴を通して視認するとき、レインボー効果を生じさせ得る。特定の科学理論に賛同するわけではないが、レインボー効果は、回折特徴と相互作用し、それによって、異なる波長（例えば、色）を異なる方向に異なる回折角度で偏向させる、ある波長の範囲の結果であり得る。本明細書に説明されるいくつかの実施形態では、ユーザによって視認されるような結合光学要素１１７８ａ、１１８８ｂと相互作用する世界からのレインボー効果は、回折特徴を修正または制御し、本効果を低減させることによって、低減され得る。例えば、ＤＯＥ上の光の回折角度は、格子の周期または空間周波数に基づくため、回折特徴の形状は、所与の波長の範囲に関して、回折される光の大部分を特定の場所に集中させるように選択されてもよい（例えば、三角形断面またはブレージング）。
【０１１０】
いくつかの実施形態では、基板１０７０は、図６の導波管２７０、２８０、２９０、３００、または３１０のうちの１つであってもよい。本実施形態では、対応する外部結合光学要素５７０、５８０、５９０、６００、または６１０は、眼によって反射された光のＴＩＲを誘発するように構成される、内部結合光学要素１１７８ａと置換されてもよい。いくつかの実施形態では、外部結合光学要素５７０、５８０、５９０、６００、または６１０の一部は、対応する導波管２７０、２８０、２９０、３００、または３１０が、図６に関連して説明されるように、反射された光をカメラアセンブリ６３０に指向するために使用され得るように、内部結合光学要素１１７８と置換されてもよい。
【０１１１】
いくつかの実施形態では、基板１０７０は、図９Ａ−９Ｃの１つの導波管６７０、６８０、または６９０であってもよい。これらの実施形態では、対応する光分散要素８００、８１０、および８３０、またはその一部は、内部結合光学要素１１７８ａと置換されてもよい一方、内部結合光学要素７００、７１０、および７２０、またはその一部は、外部結合光学要素１１８８ａと置換されてもよい。いくつかの実施形態では、ＯＰＥ７３０、７４０、および７５０は、内部結合光学要素１１７８ａから外部結合光学要素１１８８ａに進行する光の光学経路内に留まってもよい。しかしながら、ＯＰＥ７３０、７４０、および７５０は、光を外部結合光学要素１１８８ａに分散させ、また、伝搬するにつれて、ビームスポットサイズを減少させるように構成されてもよい。
【０１１２】
種々の実施形態では、カメラアセンブリ１０３０の視野は、種々の視野位置全体を通して、オブジェクト平面１１２０全体（例えば、図１０の眼２２０、その一部、または眼を囲繞する組織）を結像するために十分であるように構成される。例えば、図１１に示される実施例では、結像されるオブジェクト平面１１２０のサイズは、３０ｍｍ（水平）×１６ｍｍ（垂直）であってもよい。いくつかの実施形態では、結合光学要素１１７８ａ、１１８８ａは、少なくとも結像されることになるオブジェクトのサイズに合致するために十分な大きさであるように設計される、すなわち、結合光学要素１１７８ａ、１１８８ａは、結像されるオブジェクトの全サイズからの光を受光するように構成される。例えば、結合光学要素１１７８ａは、眼２２０から生じる光を受光する。結合光学要素１１８８は、基板１０７０を通してカメラアセンブリ１０３０に向かって伝搬する、光線１１２２の実質的に全てを反射させるように定寸されてもよい。
【０１１３】
種々の実施形態では、他の光学要素が、光線１１２２が進行する経路に沿って位置付けられてもよい。例えば、介在光学要素が、光線１１２２を基板１０７０に向かって所望の角度で指向するために、基板１０７０とオブジェクト平面１１２０との間に含まれてもよい。介在光学要素は、カメラアセンブリ１０３０を任意の所望の場所に設置するように、カメラアセンブリ１０３０と基板１０７０との間に含まれ、光線１１２２をカメラアセンブリ１０３０に向かって指向および集束させてもよい。いくつかの実施形態では、介在光学要素は、光線１１２２をフィルタリングする、偏光を変化させる、または収差を補正するために使用されてもよい。例えば、補正光学要素は、結像システムの光学コンポーネントによって導入される光学収差を低減または排除するように配列および構成される、光線１１２２の光学経路に沿って、または結像システムが、図６のディスプレイシステム２５０、他の導波管、または光学要素の一部である場合、位置付けられてもよい。
複数の結合光学要素を使用した軸外結像のための代替実施形態
【０１１４】
図１１は、オブジェクト平面１１２０からの光を基板１０７０を通してＴＩＲするように構成される、結合光学要素１１７８ａ、１１８８ａを有する、基板１０７０を備える、例示的結像システム１０００ｂを示すが、他の構成も、可能性として考えられる。例えば、図１１は、両結合光学要素１１７８ａ、１１８８ａを反射結合光学要素として図示する。しかしながら、一方または両方の結合光学要素は、第１の波長の範囲をＴＩＲ条件を満たすある角度で屈折させる一方、第２の波長の範囲を実質的に基板１０７０を通して透過させるように構成される、透過性結合光学要素であってもよい。図１２Ａ−１８は、基板１０７０のいくつかの実施形態を図示するが、しかしながら、他の構成も、可能性として考えられる。
【０１１５】
図１２Ａは、例示的結像システム１０００ｃを図式的に図示する。結像システム１０００ｃは、複数の結合光学要素１１７８ａおよび１１８８ｂを使用して、オブジェクト平面１２２０からの光１１２２を基板１０７０を通してＴＩＲする。図１１と同様に、図１２Ａは、結合光学要素１１７８ａを、光線１１２２を基板１０７０の中に内部結合する、基板１０７０の遠位表面１０７６上に配置される反射結合光学要素として図示する。しかしながら、結合光学要素１１８８ｂは、図１１の結合光学要素１１８８ａに実質的に類似するが、図１２Ａは、基板１０７０の遠位表面１０７６上に配置される、透過性結合光学要素１１８８ｂを図示する。したがって、ＴＩＲを介して、基板１０７０を通して伝搬することに応じて、光線１１２２は、３回目として、近位表面１０７４上で透過性結合光学要素１１８８ｂに向かって反射される。透過性結合光学要素１１８８ｂは、ＴＩＲ条件がもはや持続せず、光線１１２２が基板１０７０から出射するようなある角度で光線１１２２を屈折させる。例えば、透過性結合光学要素１１８８ｂが、ＤＯＥである場合、光は、ＤＯＥの空間周波数に基づいて屈折され、カメラアセンブリ１０３０に向かって実質的に偏向される。
【０１１６】
図１２Ａはまた、カメラアセンブリ１０３０によって捕捉される、迷光線１２２２を図示する。例えば、迷光線１２２２は、オブジェクト１１２０によって反射されるが、結合光学要素１１７８ａ、１１８８ｂを通して伝搬する代わりに、迷光線１２２２の一部または全部は、直接、カメラアセンブリ１０３０に向かって進行する。特定の理論に賛同するわけではないが、迷光線１２２２は、カメラアセンブリ１０３０によって捕捉され、それによって、上記に説明されるように、直接視認画像を生成する。したがって、カメラアセンブリ１０３０は、基板を通してＴＩＲする光線１１２２に基づく所望の画像とともに、光線１２２２に基づく直接視認画像（例えば、本明細書に説明される狭ＦＯＶおよび欠陥を含む）を捕捉し得る。カメラアセンブリ１０３０は、異なる光学経路に沿って進行した光線を捕捉するため、最終画像は、種々の不完全性を含むであろう。１つのそのような不完全性が、図１２Ｂに図示されるが、その他も、可能性として考えられる。
【０１１７】
図１２Ｂは、図１２Ａのカメラアセンブリ１０３０を使用して捕捉されたオブジェクト１１２０の例示的画像１２１０を図示する。例証的画像１２１０では、カメラアセンブリ１０３０は、例えば、オブジェクトとして使用され、ＩＲ光源で照明されたレーザダイオードの正面の画像１２１０を捕捉した。レーザダイオードが、本実施例では図示されるが、他のオブジェクト、例えば、ユーザの眼２１０も、類似効果のために使用されてもよい。画像１２１０は、光線１２２２によって生成されたレーザダイオードの直接視認画像１２０５と、光線１１２２によって生成された画像１２４０のセットとを含む。画像１２４０のセットは、所望の軸外画像（例証的目的のために、画像１２１５として示される）と、異なる視点からの複数の重複画像（集合的に、画像１２１２として図示される）とを含む。そのような重複画像１２１２は、いくつかの実施形態では、所望に応じて、オブジェクトの単一視点画像を合成するための後処理を要求し得る。他の実施形態では、結像システムは、単一視点画像１２１５を捕捉するように、望ましくない重複画像１２１２および直接視認画像１２０５を低減または排除するように設計されてもよい。
【０１１８】
例えば、図１３ＡおよびＢは、結像システム１０００ｃの別の図を図式的に図示する。図１３Ａおよび１３Ｂは、重複画像１２１２を低減または排除するための例示的アプローチを図示する。特定の科学理論に賛同するわけではないが、重複画像１２１２は、基板１０７０の厚さ（ｔ）、結合光学要素１１７８ａのサイズ（ｄ１）、および光線１１２２のストライド距離（ｄ２）を変動させることに基づいて、低減または実質的に排除され得る。ストライド距離（ｄ２）は、光線が基板内で反射するにつれて進行する、基板１０７０と平行な距離、すなわち、例えば、全内部反射の単一インスタンスに起因して、基板１０７０の遠位表面１０７６上に入射する２つの隣接する点間の距離を指し得る。いくつかの実施形態では、直接視認画像１２０５もまた、例えば、コーティング（例えば、オブジェクト１２２０からのＩＲ光を遮断または低減させるように構成される、ＩＲコーティング）をオブジェクト１２２０に近接する近位表面または遠位表面１０７４、１０７６上に含むことによって、低減または除去され得る。
【０１１９】
例えば、残影画像は、ストライド距離（ｄ２）がｄ１を上回るように、結合光学要素１１７８ａのサイズ（ｄ１）を最小サイズまで低減させ、結像システム１０００ｃのコンポーネントの物理的配列を変動させることによって、低減または排除されることができる。
【０１２０】
いくつかの実施形態では、ストライド距離（ｄ２）を制御し、大ストライド距離を達成しながら、結合光学要素１１７８ａのサイズを最小限にすることが望ましくあり得る。特定の科学理論に賛同するわけではないが、大ストライド距離は、残影画像の強度を低減させる、または迷光線１０３０の外側へのカメラアセンブリ１０３０の設置を可能にし得る。したがって、いくつかの状況下では、ストライド距離は、以下のように表され得る。
ｄ２＝２＊ｔ＊ｔａｎ（θ）    ［２］
式中、θは、光線１１２２の回折角度であって、ｔは、基板１０７０の厚さである。ストライド距離を増加させることは、基板の厚さ（ｔ）を増加させる、または回折角度（θ）を増加させることによって、行われてもよい。上記に説明されるように、回折角度（θ）は、回折特徴の空間周波数または周期に基づき得る。例えば、最低光線１１２２ｅは、最小回折角度（θ）を有し、したがって、ストライド距離を増加させるために、本回折角度を増加させることが好ましくあり得る。さらに、基板１０７０の厚さを増加させることもまた、ストライド距離を増加させ得る。しかしながら、基板１０７０の厚さと軽量およびコンパクト結像システムを生成することの平衡をとることが望ましくあり得る。一実施形態では、基板１０７０は、２．５ミリメートル厚のポリカーボネート片（他の材料も可能性として考えられる）であって、格子空間周波数は、ミリメートルあたり７２０ラインである。種々の実施形態は、異なる基板厚さまたは格子空間周波数を含んでもよい。
【０１２１】
図１４Ａおよび１４Ｂは、図１１の結像システム１０００ａと異なる配列を有する、複数の結合光学要素を伴う、結像システムの実施例を図式的に図示する。図１１に説明されるように、結合光学要素は、ＴＩＲを誘発し、光線１１２２を基板１０７０を通してカメラアセンブリ１０３０に指向するために、内部または外部結合光学要素のいずれかとして構成される。図１４Ａおよび１４Ｂは、結合光学要素のタイプおよび設置の変動において異なる。
【０１２２】
例えば、図１４Ａは、図１１の結像システム１０００ｂに実質的に類似する、結像システム１０００ｄを描写する。しかしながら、結像システム１０００ｄは、基板１０７０の近位表面１０７４上に配置される、透過性結合光学要素１１７８ｂと、基板１０７０の遠位表面１０７６上に配置される、透過性結合光学要素１１８８ｂとを備える。透過性結合光学要素１１７８ｂは、透過性であるが、図１１の光１１２２をある回折角度で回折し、ＴＩＲを遠位表面１０４６に誘発する、内部結合光学要素として構成されてもよい。光１１２２は、次いで、図１２Ａに関連して上記に説明されるように、外部結合光学要素として構成される、透過性結合光学要素１１８８ｂに向かって指向され得る。
【０１２３】
図１４Ｂの実施形態では、結像システム１０００ｅは、図１１の結像システム１０００ｂに実質的に類似する。しかしながら、結像システム１０００ｅは、基板１０７０の近位表面１０７４上に配置される、透過性結合光学要素１１７８ｂおよび反射結合光学要素１１８８ａを備える。透過性結合光学要素１１７８ｂは、透過性であるが、図１１の光１１２２をある回折角度で回折し、ＴＩＲを遠位表面１０４６に誘発する、内部結合光学要素として構成されてもよい。光１１２２は、次いで、図１１に関連して上記に説明されるように、外部結合光学要素として構成される、反射結合光学要素１１８８ａに向かって指向され得る。
【０１２４】
図１５は、図１２Ａ−１３Ｂの結像システム１０００ｃに実質的に類似する、別の例示的結像システム１０００ｆを図式的に図示する。上記の結像システムと同様に、図１５は、基板１０７０の遠位表面１０７６上に配置される、反射結合光学要素１１７８ａおよび透過性結合光学要素１１８８ｂを備える、結像システム１０００ｆを図示する。しかしながら、結合光学要素１１７８ａおよび１１８８ｂは、ミリメートルあたり１４１１．７６５ラインの空間周波数および７０８．３３ナノメートルのピッチを備え、基板は、１ミリメートル厚のポリカーボネート片である。故に、図１２Ａ−１３Ｂの結像システム１０００ｃと比較して、光１１２２は、複数回、基板１０７０内でＴＩＲし得、カメラアセンブリは、結合光学要素１１７８ａからさらに離れるように偏移され得る。他の構成も、可能性として考えられる。
（軸外結像のための結像システムの代替実施形態）
【０１２５】
図１１は、オブジェクト平面１１２０からの光を基板１０７０を通してＴＩＲするように構成される、結合光学要素１１７８ａ、１１８８ａを有する、基板１０７０を備える、例示的結像システム１０００ｂを示すが、他の構成も、可能性として考えられる。
【０１２６】
例えば、図１６は、光学コンポーネント１６５０に隣接して配置される、基板１０７０を備える、結像システム１０００ｇを図示する。いくつかの実施形態では、光学コンポーネント１６５０は、図６の導波管スタック２６０または図９Ａ−９Ｃの導波管スタック６６０であってもよい。基板１０７０は、オブジェクト１１２０と光学コンポーネント１６５０に隣接し、かつその間にあるように図示されるが、他の構成も、可能性として考えられる。例えば、光学コンポーネント１６５０は、基板１０７０とオブジェクト１１２０との間にあってもよい、または基板１０７０は、光学コンポーネント１６５０の一部であってもよい。基板１０７０は、複数の反射要素１６７８および１６８８を備えてもよい。図１６に図示されるように、光１１２２は、オブジェクト１１２０から基板１０７０に向かって進行し、近位表面１０７４と相互作用し得る。光１１２２は、屈折され、反射要素１６７８に指向され得、これは、光が近位表面１０７４上でＴＩＲするように、光１１２２をある角度で反射させる。したがって、光１１２２は、ＴＩＲを介して、反射要素１６８８に向かって進行する。光１１２２は、反射要素１６８８によって、カメラアセンブリ１０３０に向かって反射され得る。故に、カメラアセンブリ１０３０は、カメラアセンブリ１０３０がオブジェクト１１２０を直接視認しているかのように（例えば、仮想カメラアセンブリ１０３０ｃ）、オブジェクト１１２０の軸外画像を捕捉し得る。いくつかの実施形態では、反射要素１６７８、１６８８のうちの１つ以上のものは、「ホットミラー」である、またはＩＲ内では反射性である一方、可視スペクトル内では透過性である、反射コーティングを備えてもよい。
【０１２７】
図１６の一実施形態では、基板１０７０は、２ミリメートル厚のポリカーボネート片であって、近位表面１０７４は、オブジェクト平面１１２０から１５．７ミリメートル右（例えば、ｚ−方向）に位置付けられる。オブジェクト平面１１２０は、垂直（例えば、ｙ−方向）に１２ミリメートルである。いくつかの実施形態では、反射要素１６７８は、実質的に全ＦＯＶを捕捉するように構成され、中心光線１１２２ｃは、法線から下方（例えば、負のｙ−方向）に２５度で伝搬する。カメラアセンブリ１０３０は、光線１１２２ｃの原点から１５．７ミリメートル下方に、１８．７９ミリメートル右に位置付けられてもよい。本配列では、結像システム１０００ｇは、仮想カメラ１０３０ｃからのビューが、１０．５６ミリメートル下方に、２２．６５ミリメートル右に位置付けられているかのように、画像を捕捉する。
【０１２８】
図１７は、光学コンポーネント１６５０（例えば、光学カバーガラスまたは処方箋ガラス）に隣接して配置される、基板１７７０と、基板１７７０に隣接して配置される、反射表面１７７８とを備える、結像システム１０００ｈを図示する。いくつかの実施形態では、基板１７７０は、上記に説明される基板１０７０に実質的に類似してもよい。具体的配列が、図１７に示されるが、他の構成も、可能性として考えられる。例えば、光学コンポーネント１６５０は、基板１６５０とオブジェクト１１２０との間にあってもよい、または基板１７７０は、光学コンポーネント１６５０の一部であってもよい。図１７に図示されるように、光１１２２は、オブジェクト１１２０から光学コンポーネント１６５０に向かって進行し、それと相互作用し得る。光１１２２は、次いで、基板１７７０に向かって進行するにつれて、光学コンポーネント１６５０を通して屈折または通過され得る。基板１７７０を通して通過（屈折または通過）後、光１１２２は、反射表面１７７８上に入射する。反射表面１７７８は、光１１２２を反射させ、カメラアセンブリ１０３０に向かって指向するように構成される、光学性質を有してもよい。故に、カメラアセンブリ１０３０は、カメラアセンブリ１０３０がオブジェクト１１２０を直接視認しているかのように、オブジェクト１１２０の軸外画像を捕捉し得る。図１７の一実施形態では、結像システム１０００ｆは、１６ミリメートル×２４ミリメートルのオブジェクト平面１１２０を捕捉するように構成され、中心光線１１２２ｃは、法線（ライン１７９０として示される）から正の１７度で伝搬する。
【０１２９】
いくつかの実施形態では、反射表面１７７８は、装飾または審美的レンズまたは光学コンポーネントの表面であってもよい。例えば、装飾レンズは、太陽光をフィルタリング除去するサングラスとしての使用のためのレンズであってもよい。別の実施形態では、装飾レンズは、ゴーグルにおいて使用するためのカラーフィルタリングレンズであってもよい。さらに他の実施形態では、装飾レンズは、レンズを装着していない他の人々によって視認可能な着色された視覚的外観を有してもよい（例えば、他の人々には、青色、赤色等で現れる、レンズ）。装飾レンズはまた、ユーザ以外の人々によって視認される、色層を含んでもよい。反射表面１７７８は、装飾レンズの内側表面上の反射コーティングであってもよい。反射コーティングは、装着者が世界を視認することが可能であるように、ＩＲ内では反射性である一方、可視スペクトル内では透過性であってもよい。図１７に示されるように、反射表面１７７８は、光１１２２をカメラアセンブリ１０３０に向かって指向するように構成される、凹面形状を備えてもよい。しかしながら、他の構成も、可能性として考えられる。
【０１３０】
図１８は、光学コンポーネント１８５０に隣接して配置される、基板１７７０と、基板１７７０に隣接して配置される、プリズム１８７８とを備える、結像システム１０００ｉを図示する。いくつかの実施形態では、基板１７７０は、上記に説明される基板１０７０に実質的に類似してもよい。光学コンポーネント１８５０は、光学コンポーネント１６５０に実質的に類似してもよいが、図９Ａ−９Ｃの射出瞳エクスパンダ８００、８１０、８２０のうちの１つ以上のものを備えてもよい。具体的配列が、図１８に示されるが、他の構成も、可能性として考えられる。例えば、光学コンポーネント１８５０は、基板１７７０とオブジェクト１１２０との間にあってもよい、または基板１７７０は、光学コンポーネント１８５０の一部であってもよい。図１８に図示されるように、光１１２２は、オブジェクト１１２０から光学コンポーネント１８５０に向かって進行し、それと相互作用し得る。光１１２２は、光学コンポーネント１８５０に向かって進行するにつれて、屈折または通過され得る。光学コンポーネント１８５０を通して通過（屈折または通過）後、光１１２２は、プリズム１８７８に入射し、表面１８７８ａによって、カメラアセンブリ１０３０に向かって反射される。故に、カメラアセンブリ１０３０は、カメラアセンブリ１０３０がオブジェクト１１２０を直接視認しているかのように、オブジェクト１１２０の軸外画像を捕捉し得る。いくつかの実施形態では、プリズムは、ＩＲプリズム「ホットミラー」であってもよい、または表面１８７８ａは、ＩＲ内では反射性である一方、可視スペクトル内では透過性である、反射コーティングを備えてもよい。図１８の一実施形態では、結像システム１０００ｉは、３５度の垂直ＦＯＶおよび３０．７３ミリメートルの焦点距離を有する、カメラアセンブリ１０３０を備える。そのような結像システム１０００ｉは、１６ミリメートル×２４ミリメートルのオブジェクト平面１１２０を捕捉するように構成されてもよく、中心光線１１２２ｃは、法線（ライン１７９０として示される）から負の２５度で伝搬する。
（オブジェクトを結像するための例示的ルーチン）
【０１３１】
図１９は、軸外カメラ（例えば、図６のカメラアセンブリ６３０または図１０Ａのカメラアセンブリ１０３０）を使用してオブジェクト（例えば、ユーザの眼）を結像するための例証的ルーチンのプロセスフロー図である。ルーチン１９００は、オブジェクトからの光が、カメラアセンブリが、直接、オブジェクトに向かって向けられているかのように、オブジェクトを結像するためのオブジェクトから離れるように、またはそれに対して軸外に位置付けられる、カメラアセンブリに指向され得る方法を説明する。
【０１３２】
ブロック１９１０では、結像システムが、オブジェクトからの光を受光し、光をカメラアセンブリに指向するように構成されるように提供される。結像システムは、図１０Ａ−１１、１２Ａ、および１３Ａ−１８に関連して上記に説明されるような結像システム１０００ａ−ｉのうちの１つ以上のものであってもよい。例えば、結像システムは、第１の結合光学要素（例えば、第１の結合光学要素１０７８、１１７８ａ、または１１７８ｂ）と、第２の結合光学要素（例えば、第２の光学要素１１８８ａまたは１１８８ｂ）とを備える、基板（例えば、基板１０７０）を備えてもよい。第１および第２の光学要素は、上記および本開示全体を通して説明されるように、基板の遠位表面または近位表面上に配置されてもよい。第１および第２の光学要素は、基板１０７０に沿って相互から側方にオフセットされてもよい。上記および本開示全体を通して説明されるように、第１の結合光学要素は、光をある角度で偏向させ、光を近位表面と遠位表面との間でＴＩＲするように構成されてもよい。第１の光学要素は、光を、ある角度で、概して、第２の結合光学要素に向かって偏向させるように構成されてもよい。第２の結合光学要素は、第１の結合光学要素からの光を受光し、光を基板から外にある角度で偏向させるように構成されてもよい。
【０１３３】
ブロック１９２０では、光が、カメラアセンブリ（例えば、図６のカメラアセンブリ６３０または図１０Ａ−１１、１２Ａ、および１３Ａ−１８のカメラアセンブリ１０３０）で捕捉される。カメラアセンブリは、第２の結合光学要素に向かって配向され、第２の結合光学要素によって偏向される光を受光してもよい。カメラアセンブリは、前方に面したまたは後方に面した構成における、軸外カメラであってもよい。ブロック１９３０では、オブジェクトの軸外画像が、本明細書および本開示全体を通して説明されるように、捕捉された光に基づいて生成され得る。
【０１３４】
いくつかの実施形態では、ルーチン１９００は、オブジェクトを光源（例えば、図６の光源６３２または図１０Ａ−１１、１２Ａ、および１３Ａ−１８の光源１０３２）からの光で照明する随意のステップ（図示せず）を含んでもよい。いくつかの実施形態では、光は、ＩＲ光を含む、波長の範囲を含んでもよい。
【０１３５】
いくつかの実施形態では、ブロック１９３０において生成された軸外画像は、例えば、画像処理技法を使用して、処理および分析されてもよい。分析された軸外画像は、上記および本開示全体を通して説明されるように、分析された軸外画像に部分的に基づいて、眼追跡、バイオメトリック識別、眼の形状の多視点再構築、眼の遠近調節状態の推定、または網膜、虹彩、眼の他の際立ったパターンの結像、およびユーザの生理学的状態の評価のうちの１つ以上のものを実施するために使用されてもよい。
【０１３６】
種々の実施形態では、ルーチン１９００は、メモリ内に記憶される命令を実行するように構成される、ハードウェアプロセッサ（例えば、図２のローカル処理およびデータモジュール１４０）によって実施されてもよい。他の実施形態では、コンピュータ実行可能命令を伴う、遠隔コンピューティングデバイス（ディスプレイ装置とネットワーク通信する）が、ディスプレイ装置に、ルーチン１９００の側面を実施させることができる。
付加的側面
１  光学デバイスであって、近位表面および遠位表面を有する、基板と、近位表面および遠位表面のうちの１つ上に配置される、第１の結合光学要素と、近位表面および遠位表面のうちの１つ上に配置され、第１の結合光学要素から近位表面または遠位表面と平行方向に沿って側方にオフセットされる、第２の結合光学要素とを備え、第１の結合光学要素は、光をある角度で偏向させ、光を近位表面と遠位表面との間で第２の結合光学要素に向かって全内部反射（ＴＩＲ）させるように構成され、第２の結合光学要素は、光を基板から外にある角度で偏向させるように構成される、光学デバイス。
２  基板は、可視光に対して透過性である、側面１に記載の光学デバイス。
３  基板は、ポリマーを含む、側面１または２に記載の光学デバイス。
４  基板は、ポリカーボネートを含む、側面１−３のいずれか１項に記載の光学デバイス。
５  第１および第２の結合光学要素は、基板の近位表面および遠位表面のうちの少なくとも１つの外部にあって、それに固定される、側面１−４のいずれか１項に記載の光学デバイス。
６  第１および第２の結合光学要素は、基板の一部を含む、側面１−５のいずれか１項に記載の光学デバイス。
７  第１および第２の結合光学要素のうちの少なくとも１つは、複数の回折特徴を備える、側面１−６のいずれか１項に記載の光学デバイス。
８  複数の回折特徴は、ある波長の範囲の光の実質的に全てを回折するように、該ある波長の範囲のための比較的に高回折効率を有する、側面７に記載の光学デバイス。
９  複数の回折特徴は、複数の回折要素の周期に部分的に基づいて、光を少なくとも１つの方向に回折し、少なくとも１つの方向は、光を近位表面と遠位表面との間でＴＩＲするように選択される、側面７または８に記載の光学デバイス。
１０    第１または第２の結合光学要素のうちの少なくとも１つは、軸外回折光学要素（ＤＯＥ）、軸外回折格子、軸外回折光学要素（ＤＯＥ）、軸外ホログラフィックミラー（ＯＡＨＭ）、または軸外立体回折光学要素（ＯＡＶＤＯＥ）、または軸外コレステリック液晶回折格子（ＯＡＣＬＣＧ）のうちの少なくとも１つを含む、側面１−７のいずれか１項に記載の光学デバイス。
１１  第１および第２の結合光学要素はそれぞれ、第１の波長の範囲の光を偏向させる一方、第２の波長の範囲の光を透過させるように構成される、側面１−７および１０のいずれか１項に記載の光学デバイス。
１２  第１の波長の範囲は、赤外線（ＩＲ）または近ＩＲスペクトルのうちの少なくとも１つにおける光を含み、第２の波長の範囲は、可視スペクトルにおける光を含む、側面１１に記載の光学デバイス。
１３  第１および第２の結合光学要素は、ある波長の範囲の光を選択的に反射させ、第１の結合光学要素は、基板の遠位表面上に配置され、第２の結合光学要素は、基板の近位表面上に配置される、側面１、７、および１１のいずれか１項に記載の光学デバイス。
１４  第１および第２の結合光学要素は、ある波長の範囲の光を選択的に透過させ、第１の結合光学要素は、基板の近位表面上に配置され、第２の結合光学要素は、基板の遠位表面上に配置される、側面１、７、１０、および１１のいずれか１項に記載の光学デバイス。
１５  第１の結合光学要素は、ある波長の範囲の光を選択的に反射させ、第２の結合光学要素は、該ある波長の範囲の光を選択的に透過させ、第１および第２の結合光学要素は、基板の遠位表面上に配置される、側面１、７、１０、および１１のいずれか１項に記載の光学デバイス。
１６  第１の結合光学要素は、ある波長の範囲の光を選択的に透過させ、第２の結合光学要素は、該ある波長の範囲の光を選択的に反射させ、第１および第２の結合光学要素は、基板の近位表面上に配置される、側面１、７、１０、および１１のいずれか１項に記載の光学デバイス。
１７  ユーザの頭部上に装着されるように構成される、頭部搭載型ディスプレイ（ＨＭＤ）であって、フレームと、一対の光学要素の各光学要素がユーザの眼の前方に配置されることが可能であるように、フレームによって支持される、一対の光学要素と、結像システムであって、フレームに搭載される、カメラアセンブリと、側面１−１６のいずれか１項に記載の光学デバイスとを備える、結像システムと、を備える、ＨＭＤ。
１８  一対の光学要素の少なくとも１つの光学要素は、基板を含む、側面１７に記載のＨＭＤ。
１９  基板は、一対の光学要素の少なくとも１つの光学要素の表面上に配置される、側面１７または１８に記載のＨＭＤ。
２０  フレームは、一対の耳掛け部を備え、カメラアセンブリは、一対の耳掛け部のうちの１つ上に搭載される、側面１７−１９のいずれか１項に記載のＨＭＤ。
２１  カメラアセンブリは、第２の結合光学要素から受光された光を結像するように構成される、前方に面したカメラアセンブリである、側面１７−２０のいずれか１項に記載のＨＭＤ。
２２  カメラアセンブリは、ユーザに向かって面した方向に配置される、後方に面したカメラアセンブリであって、後方に面したカメラアセンブリは、第２の結合光学要素から受光された光を結像するように構成される、側面１７−２０のいずれか１項に記載のＨＭＤ。
２３  第１の波長の範囲の光を、ユーザの眼、眼の一部、または眼を囲繞する組織の一部のうちの少なくとも１つに向かって放出する、光源をさらに備える、側面１７−２２のいずれか１項に記載のＨＭＤ。
２４  第１の波長の範囲の光は、ユーザの眼、眼の一部、または眼を囲繞する組織の一部のうちの少なくとも１つによって、第１の結合光学要素に向かって反射される、側面２３に記載のＨＭＤ。
２５  一対の光学要素はそれぞれ、可視光に対して透過性である、側面１７−２３のいずれか１項に記載のＨＭＤ。
２６  一対の光学要素はそれぞれ、画像をユーザに表示するように構成される、側面１７−２３および２５のいずれか１項に記載のＨＭＤ。
２７  カメラアセンブリは、第２の結合光学要素から受光された光に部分的に基づいて、ユーザの眼、眼の一部、または眼を囲繞する組織の一部のうちの少なくとも１つを結像するように構成される、側面１７−２３、２５、および２６のいずれか１項に記載のＨＭＤ。
２８  ＨＭＤは、ユーザの眼、眼の一部、または眼を囲繞する組織の一部のうちの少なくとも１つの画像に基づいて、ユーザの視線を追跡するように構成される、側面２７に記載のＨＭＤ。
２９  カメラアセンブリによって結像される画像は、ユーザの眼の正面に設置され、ユーザの眼、眼の一部、または眼を囲繞する組織の一部のうちの少なくとも１つを直接視認する、カメラによって結像される画像と一致する、側面２７に記載のＨＭＤ。
３０  光学デバイスは、カメラアセンブリによって受光される迷光を低減させるように配列される、側面１７−２３、２５、および２７のいずれか１項に記載のＨＭＤ。
３１  第１の結合光学要素のサイズは、基板の遠位表面と近位表面との間で反射された光のストライド距離未満であって、ストライド距離は、基板の厚さおよび第１の結合光学要素が光を偏向させる角度に基づく、側面１７−２３、２５、２７、および３０のいずれか１項に記載のＨＭＤ。
３２  第１の結合光学要素のサイズは、ユーザの眼の視野に基づく、側面３１に記載のＨＭＤ。
３３  カメラアセンブリによって結像されるユーザの眼の画像と、ユーザの眼の正面に設置されたカメラによって結像されるユーザの眼の画像は、区別不能である，側面１７−２３、２５、２７、３０、および３１のいずれか１項に記載のＨＭＤ。
３４  カメラアセンブリによって入手された画像を記憶するように構成される、非一過性データ記憶装置と、非一過性データ記憶装置と通信する、ハードウェアプロセッサであって、画像を分析し、眼追跡、バイオメトリック識別、眼の形状の多視点再構築、眼の遠近調節状態の推定、または網膜、虹彩、眼の他の際立ったパターンの結像、およびユーザの生理学的状態の評価のうちの１つ以上のものを実施するための実行可能命令でプログラムされる、ハードウェアプロセッサとをさらに備える、側面１７−２３、２５、２７、３０、３１、および３３のいずれか１項に記載のＨＭＤ。
３５  結像システムであって、近位表面および遠位表面を有する、基板であって、近位表面および遠位表面のうちの１つ上に配置される、第１の回折光学要素と、近位表面および遠位表面のうちの１つ上に配置される、第２の回折光学要素であって、第１の回折光学要素から近位表面または遠位表面と平行方向に沿ってオフセットされる、第２の回折光学要素とを備え、第１の回折光学要素は、光をある角度で偏向させ、光を近位表面と遠位表面との間で第２の結合光学要素に向かって全内部反射（ＴＩＲ）させるように構成され、第２の回折光学要素は、その上に入射する光を基板から外にある角度で偏向させるように構成される、基板と、第２の回折光学要素によって偏向される光を結像するためのカメラアセンブリとを備える、結像システム。
３６  第１および第２の回折光学要素は、軸外回折光学要素（ＤＯＥ）、軸外回折格子、軸外回折光学要素（ＤＯＥ）、軸外ホログラフィックミラー（ＯＡＨＭ）、または軸外立体回折光学要素（ＯＡＶＤＯＥ）、軸外コレステリック液晶回折格子（ＯＡＣＬＣＧ）、ホットミラー、プリズム、または装飾レンズの表面のうちの少なくとも１つを含む、側面３５に記載の結像システム。
３７  仮想カメラを使用して、オブジェクトを結像する方法であって、結像システムを結像されることになるオブジェクトの正面に提供することであって、結像システムは、それぞれ、基板の近位表面および遠位表面のうちの１つ上に配置され、相互からオフセットされる、第１の結合光学要素および第２の結合光学要素を備える、基板であって、第１の結合光学要素は、光をある角度で偏向させ、光を近位表面と遠位表面との間で第２の結合光学要素に向かって全内部反射（ＴＩＲ）させるように構成され、第２の結合光学要素は、光を基板から外にある角度で偏向させるように構成される、基板を備える、ことと、第２の結合光学要素によって偏向される光を受光するように配向されるカメラアセンブリを用いて、光を捕捉することと、捕捉された光に基づいて、オブジェクトの軸外画像を生成することとを含む、方法。
３８  第１および第２の結合光学要素はそれぞれ、第１の波長の範囲の光を偏向させる一方、第２の波長の範囲における光を透過させる、側面３７に記載の方法。
３９光源によって放出される第１の波長の範囲を用いて、オブジェクトを照明することをさらに含む、側面３７または３８に記載の方法。
４０  軸外画像を分析することと、分析される軸外画像に部分的に基づいて、眼追跡、バイオメトリック識別、眼の形状の多視点再構築、眼の遠近調節状態の推定、または網膜、虹彩、眼の他の際立ったパターンの結像、およびユーザの生理学的状態の評価のうちの１つ以上のものを実施することとをさらに含む、側面３７−３９のいずれか１項に記載の方法。
４１  結像システムであって、近位表面および遠位表面を有する、基板と、遠位表面に隣接する、反射光学要素であって、基板から外に通過した光を遠位表面においてある角度で反射させるように構成される、反射光学要素と、反射光学要素によって反射された光を結像するためのカメラアセンブリとを備える、結像システム。
４２  反射光学要素は、装飾レンズの表面を備える、側面４１に記載の結像システム。
４３  反射光学要素は、反射コーティングを装飾レンズの表面上に備える、側面４１または側面４２に記載の結像システム。
４４  反射光学要素は、反射プリズムを備える、側面４１−４３のいずれか１項に記載の結像システム。
４５  反射光学要素は、赤外線光に対して反射性であって、可視光に対して透過性である、側面４１−４４のいずれか１項に記載の結像システム。
４６  近位表面に隣接する回折光学要素をさらに備える、側面４１−４５のいずれか１項に記載の結像システム。
４７  カメラアセンブリは、反射光学要素から受光された光を結像するように構成される、前方に面したカメラアセンブリである、側面４１−４６のいずれか１項に記載の結像システム。
４８  ユーザの頭部上に装着されるように構成される、頭部搭載型ディスプレイ（ＨＭＤ）であって、フレームと、一対の光学要素の各光学要素がユーザの眼の前方に配置されることが可能であるように、フレームによって支持される、一対の光学要素と、請求項４１−４７のいずれか１項に記載の結像システムとを備える、ＨＭＤ。
４９  一対の光学要素の少なくとも１つの光学要素は、基板を含む、側面４８に記載のＨＭＤ。
５０  基板は、一対の光学要素の少なくとも１つの光学要素の表面上に配置される、側面４８または４９に記載のＨＭＤ。
５１  フレームは、一対の耳掛け部を備え、カメラアセンブリは、一対の耳掛け部のうちの１つ上に搭載される、側面４８−５０のいずれか１項に記載のＨＭＤ。
５２  第１の波長の範囲の光を、ユーザの眼、眼の一部、または眼を囲繞する組織の一部のうちの少なくとも１つに向かって放出する、光源をさらに備える、側面４８−５１のいずれか１項に記載のＨＭＤ。
５３  一対の光学要素はそれぞれ、可視光に対して透過性である、側面４８−５２のいずれか１項に記載のＨＭＤ。
５４  一対の光学要素はそれぞれ、画像をユーザに表示するように構成される、側面４８−５３のいずれか１項に記載のＨＭＤ。
５５  カメラアセンブリは、第２の結合光学要素から受光された光に部分的に基づいて、ユーザの眼、眼の一部、または眼を囲繞する組織の一部のうちの少なくとも１つを結像するように構成される、側面４８−５４のいずれか１項に記載のＨＭＤ。
５６  ＨＭＤは、ユーザの眼、眼の一部、または眼を囲繞する組織の一部のうちの少なくとも１つの画像に基づいて、ユーザの視線を追跡するように構成される、側面４８−５５のいずれか１項に記載のＨＭＤ。
５７  カメラアセンブリによって結像される画像は、ユーザの眼の正面に設置され、ユーザの眼、眼の一部、または眼を囲繞する組織の一部のうちの少なくとも１つを直接視認する、カメラによって結像される画像と一致する、側面４８−５６のいずれか１項に記載のＨＭＤ。
５８  光学デバイスは、カメラアセンブリによって受光される迷光を低減させるように配列される、側面４８−５７のいずれか１項に記載のＨＭＤ。
５９  カメラアセンブリによって結像されるユーザの眼の画像と、ユーザの眼の正面に設置されたカメラによって結像されるユーザの眼の画像は、区別不能である、側面４８−５８のいずれか１項に記載のＨＭＤ。
６０  カメラアセンブリによって入手された画像を記憶するように構成される、非一過性データ記憶装置と、非一過性データ記憶装置と通信する、ハードウェアプロセッサであって、画像を分析し、眼追跡、バイオメトリック識別、眼の形状の多視点再構築、眼の遠近調節状態の推定、または網膜、虹彩、眼の他の際立ったパターンの結像、およびユーザの生理学的状態の評価のうちの１つ以上のものを実施するための実行可能命令でプログラムされる、ハードウェアプロセッサとをさらに備える、側面４８−５９のいずれか１項に記載のＨＭＤ。
（付加的考慮点）
【０１３７】
上記に説明される実施形態では、光学配列は、眼結像ディスプレイシステム、より具体的には、拡張現実ディスプレイシステムに関連して説明される。しかしながら、光学的配列の原理および利点は、頭部搭載型ディスプレイ、光学システム、装置、または方法のために使用されることができることを理解されるであろう。前述では、実施形態のうちの任意の１つの任意の特徴は、実施形態のうちの任意の他の１つの任意の他の特徴と組み合わせられる、および／またはそれで代用されることができることを理解されたい。
【０１３８】
文脈によって別様に明確に要求されない限り、説明および請求項全体を通して、単語「〜を備える（ｃｏｍｐｒｉｓｅ）」、「〜を備えている（ｃｏｍｐｒｉｓｉｎｇ）」、「〜を含む（ｉｎｃｌｕｄｅ）」、「〜を含んでいる（ｉｎｃｌｕｄｉｎｇ）」、「〜を有する（ｈａｖｅ）」、「〜を有している（ｈａｖｉｎｇ）」、および同等物は、排他的または包括的意味とは対照的に、包含的意味、すなわち、「限定ではないが〜を含む（ｉｎｃｌｕｄｉｎｇ，  ｂｕｔ  ｎｏｔ  ｌｉｍｉｔｅｄ  ｔｏ）」の意味で解釈されるべきである。単語「結合される」は、本明細書で概して使用されるように、直接接続されるか、または１つ以上の中間要素を経由して接続されるかのいずれかであり得る、２つ以上の要素を指す。同様に、単語「接続される」は、本明細書で概して使用されるように、直接接続されるか、または１つ以上の中間要素を経由して接続されるかのいずれかであり得る、２つ以上の要素を指す。文脈に応じて、「結合される」または「接続される」は、光が、１つの光学要素から別の光学要素に結合または接続されるような光学結合または光学接続を指し得る。加えて、単語「本明細書で（ｈｅｒｅｉｎ）」、「上記で（ａｂｏｖｅ）」、「下記で（ｂｅｌｏｗ）」、「後述の（ｉｎｆｒａ）」、「前述の（ｓｕｐｒａ）」、および類似意味の単語は、本願で使用されるとき、全体として本願を指すものとし、本願の任意の特定の部分を指すものではない。文脈によって許容される場合、単数形または複数形を使用する上記の詳細な説明における単語はまた、それぞれ、複数形または単数形を含んでもよい。２つ以上のアイテムのリストを参照する、単語「または」は、包含的（排他的ではなく）「または」であって、「または」は、以下の単語の解釈の全て、すなわち、リスト内のアイテムのいずれか、リスト内のアイテムの全て、およびリスト内のアイテムの１つ以上のアイテムの任意の組み合わせを網羅し、リストに追加される他のアイテムを除外しない。加えて、本願および添付される請求項で使用されるような冠詞「ａ」、「ａｎ」、および「ｔｈｅ」は、別様に規定されない限り、「１つ以上の（ｏｎｅ  ｏｒ  ｍｏｒｅ）」または「少なくとも１つ（ａｔ  ｌｅａｓｔ  ｏｎｅ）」を意味するように解釈されるべきである。
【０１３９】
本明細書で使用されるように、項目のリスト「〜のうちの少なくとも１つ」を指す語句は、単一の要素を含む、それらの項目の任意の組み合わせを指す。ある実施例として、「Ａ、Ｂ、またはＣのうちの少なくとも１つ」は、Ａ、Ｂ、Ｃ、ＡおよびＢ、ＡおよびＣ、ＢおよびＣ、およびＡ、Ｂ、およびＣを網羅することが意図される。語句「Ｘ、Ｙ、およびＺのうちの少なくとも１つ」等の接続文は、別様に具体的に記載されない限り、概して、項目、用語等がＸ、Ｙ、またはＺのうちの少なくとも１つであり得ることを伝えるために使用されるような文脈で別様に理解される。したがって、そのような接続文は、概して、ある実施形態が、Ｘのうちの少なくとも１つ、Ｙのうちの少なくとも１つ、およびＺのうちの少なくとも１つがそれぞれ存在するように要求することを示唆することを意図されない。
【０１４０】
さらに、とりわけ、「〜できる（ｃａｎ）」、「〜し得る（ｃｏｕｌｄ）」、「〜し得る（ｍｉｇｈｔ）」、「〜し得る（ｍａｙ）」、「例えば（ｅ．ｇ．）」、「例えば（ｆｏｒ  ｅｘａｍｐｌｅ）」、「等（ｓｕｃｈ  ａｓ）」、および同等物等、本明細書で使用される条件文は、別様に具体的に記載されない限り、または使用されるような文脈内で別様に理解されない限り、概して、ある実施形態がある特徴、要素、および／または状態を含む一方、他の実施形態がそれらを含まないことを伝えることが意図されることを理解されたい。したがって、そのような条件文は、概して、特徴、要素、および／または状態が、１つまたはそれを上回る実施形態に対していかようにも要求されること、またはこれらの特徴、要素、および／または状態が任意の特定の実施形態において含まれる、または実施されるべきかどうかを示唆することを意図されない。
【０１４１】
ある実施形態が、説明されたが、これらの実施形態は、一例としてのみ提示され、本開示の範囲を限定することを意図するものではない。実際、本明細書に説明される新規装置、方法、およびシステムは、種々の他の形態で具現化されてもよい。さらに、本明細書に説明される方法およびシステムの形態における種々の省略、代用、および変更が、本開示の精神から逸脱することなく成されてもよい。例えば、ブロックが、所与の配列で提示されるが、代替実施形態は、異なるコンポーネントおよび／または回路トポロジを用いて類似機能性を実施してもよく、いくつかのブロックは、削除される、移動される、追加される、細分割される、組み合わせられる、および／または修正されてもよい。これらのブロックはそれぞれ、種々の異なる方法で実装されてもよい。上記に説明される種々の実施形態の要素および作用の任意の好適な組み合わせが、さらなる実施形態を提供するために組み合わせられることができる。上記に説明される種々の特徴およびプロセスは、相互に独立して実装されてもよい、または種々の方法で組み合わせられてもよい。いずれの要素または要素の組み合わせも、全ての実施形態に関して必要または不可欠なわけではない。本開示の特徴の全ての好適な組み合わせおよび副次的組み合わせが、本開示の範囲内であるように意図される。
【図１】
2020514824.tif 000003
【図２】
2020514824.tif 000004
【図３】
2020514824.tif 000005
【図４】
2020514824.tif 000006
【図５Ａ】
2020514824.tif 000007
【図５Ｂ】
2020514824.tif 000008
【図５Ｃ】
2020514824.tif 000009
【図６】
2020514824.tif 000010
【図７】
2020514824.tif 000011
【図８】
2020514824.tif 000012
【図９Ａ】
2020514824.tif 000013
【図９Ｂ】
2020514824.tif 000014
【図９Ｃ】
2020514824.tif 000015
【図１０Ａ】
2020514824.tif 000016
【図１０Ｂ】
2020514824.tif 000017
【図１１】
2020514824.tif 000018
【図１２Ａ】
2020514824.tif 000019
【図１２Ｂ】
2020514824.tif 000020
【図１３Ａ】
2020514824.tif 000021
【図１３Ｂ】
2020514824.tif 000022
【図１４Ａ】
2020514824.tif 000023
【図１４Ｂ】
2020514824.tif 000024
【図１５】
2020514824.tif 000025
【図１６】
2020514824.tif 000026
【図１７】
2020514824.tif 000027
【図１８】
2020514824.tif 000028
【図１９】
2020514824.tif 000029
【国際調査報告】
2020514824.tif 000030
2020514824.tif 000031
2020514824.tif 000032